(57)【要約】      （修正有）【課題】情報の検出及び情報の送信のための方法及び装置を提供する。【解決手段】ＵＥが、基地局側で設定される、Ｄ−ＰＤＣＣＨの占有するアンテナポートの配置情報の少なくとも１種類を取得するステップと、ＵＥが、Ｄ−ＰＤＣＣＨのサーチ領域を決定するステップと、ＵＥが、アンテナポートの配置情報に従って、サーチ領域の中でＤ−ＰＤＣＣＨを検出するステップとを備える。ＵＥはＤ−ＰＤＣＣＨを検出することができ、従って、データ伝送が保証される。さらに、既存システムにおける時間・周波数リソースに基づくＵＥによるＰＤＣＣＨのブラインド検出は、空間次元、つまり、アンテナポートに拡張され、これにより、リソースの利用効率が高められるため、Ｄ−ＰＤＣＣＨを空間次元において検出することが可能となる。【選択図】図３
2018098813.tif 000002
【特許請求の範囲】
【請求項１】
ユーザ装置（ＵＥ）が、Ｄ−物理下りリンク制御チャネル（Ｄ−ＰＤＣＣＨ）の占有するアンテナポート情報の少なくとも1種類を取得するステップ；
前記ＵＥが、前記アンテナポート情報と第２の情報との間のマッピング関係を取得するステップ；
前記ＵＥが、前記Ｄ−ＰＤＣＣＨのサーチ領域を決定するステップ；及び
前記ＵＥが、前記アンテナポート情報に従って、前記サーチ領域の中で前記Ｄ−ＰＤＣＣＨを検出するステップ
を備え、
前記サーチ領域の中で前記Ｄ−ＰＤＣＣＨを検出するステップは、
前記ＵＥが、前記アンテナポート情報及び前記マッピング関係に従って、前記サーチ領域の中で前記Ｄ−ＰＤＣＣＨを検出するステップ；を備え、
前記アンテナポート情報と第２の情報との間の前記マッピング関係は：
前記アンテナポート情報と前記Ｄ−ＰＤＣＣＨのアグリゲーションレベルとの間のマッピング関係；又は
前記アンテナポート情報と前記Ｄ−ＰＤＣＣＨの占有するリソースとの間のマッピング関係；
の複数のマッピング関係の内のいずれか１つ又はいずれかの組み合わせを含む、
情報検出方法。
【請求項２】
前記アンテナポート情報と前記Ｄ−ＰＤＣＣＨの占有するリソースとの間の前記マッピング関係は、
前記アンテナポート情報と前記Ｄ−ＰＤＣＣＨの占有するＣＣＥとの間のマッピング関係；及び
前記アンテナポート情報と特定のアグリゲーションレベルの検出位置の候補との間のマッピング関係；
の複数のマッピング関係の内のいずれか１つ又はいずれかの組み合わせを含む、
請求項１に記載の方法。
【請求項３】
前記アンテナポート情報は少なくとも２種類であり、かつ前記マッピング関係は複数対１のマッピング関係又は複数対複数のマッピング関係である、
請求項１に記載の方法。
【請求項４】
前記アンテナポート情報及び前記マッピング関係は、ＲＲＣ専用信号により取得される
請求項１から３のいずれか１項に記載の方法。
【請求項５】
情報の送信方法であって：
基地局が、Ｄ−物理下りリンク制御チャネル（Ｄ−ＰＤＣＣＨ）の占有するアンテナポート情報の少なくとも１種類をユーザ装置（ＵＥ）に対して設定するステップ；
前記基地局が、前記アンテナポート情報と第２の情報との間のマッピング関係を取得するステップ；
前記基地局が、前記Ｄ−ＰＤＣＣＨのサーチ領域情報を決定するステップ；
前記基地局が、前記Ｄ−ＰＤＣＣＨの占有するアンテナポート情報の前記少なくとも１種類に従って、前記サーチ領域の中の前記Ｄ−ＰＤＣＣＨを前記ＵＥに送信するステップ；
を備え、
前記アンテナポート情報と第２の情報との間マッピング関係は：
前記アンテナポート情報と前記Ｄ−ＰＤＣＣＨのアグリゲーションレベルとの間のマッピング関係；又は
前記アンテナポート情報と前記Ｄ−ＰＤＣＣＨにより占有されるリソースと間のマッピング関係；
の複数のマッピング関係の内のいずれか１つ又はいずれかの組み合わせを含む、
方法。
【請求項６】
前記アンテナポート情報と前記Ｄ−ＰＤＣＣＨにより占有されるリソースとの間の前記マッピング関係は、
前記アンテナポート情報と前記Ｄ−ＰＤＣＣＨの占有するＣＣＥとの間のマッピング関係；及び
前記アンテナポート情報と特定のアグリゲーションレベルの検出位置の候補との間のマッピング関係；
の複数のマッピング関係の内のいずれか１つ又はいずれかの組み合わせを含む、
請求項５に記載の方法。
【請求項７】
前記アンテナポート情報及び前記マッピング関係は、ＲＲＣ専用信号により送信される、
請求項１又は２に記載の方法。
【請求項８】
前記アンテナポート情報は少なくとも２種類であり、かつ前記マッピング関係は複数対１のマッピング関係又は複数対複数のマッピング関係である、
請求項５に記載の方法。
【請求項９】
ユーザ装置（ＵＥ）であって：
基地局側で設定される、Ｄ−物理下りリンク制御チャネル（Ｄ−ＰＤＣＣＨ）の占有するアンテナポート情報の少なくとも１種類を取得し、かつ前記アンテナポート情報と第２の情報との間のマッピング関係を取得する取得部と、
前記Ｄ−ＰＤＣＣＨのサーチ領域を決定する決定部と、
前記アンテナポート情報に従って、前記サーチ領域の中の前記Ｄ−ＰＤＣＣＨを検出する検出部と
を備え、
前記検出部は、前記アンテナポート情報及び前記マッピング関係に従って、前記サーチ領域の中の前記Ｄ−ＰＤＣＣＨを検出し、かつ
前記アンテナポート情報と第２の情報との間の前記マッピング関係は：
前記アンテナポート情報と前記Ｄ−ＰＤＣＣＨのアグリゲーションレベルとの間のマッピング関係；又は
前記アンテナポート情報と前記Ｄ−ＰＤＣＣＨの占有するリソースとの間のマッピング関係；
の複数のマッピング関係の内のいずれか１つ又はいずれかの組み合わせを含む、
ユーザ装置。
【請求項１０】
前記アンテナポート情報と前記Ｄ−ＰＤＣＣＨにより占有されるリソースとの間の前記マッピング関係は、
前記アンテナポート情報と前記Ｄ−ＰＤＣＣＨにより占有されるＣＣＥとの間のマッピング関係；及び
前記アンテナポート情報と特定のアグリゲーションレベルの検出位置の候補との間のマッピング関係；
の複数のマッピング関係の内のいずれか１つ又はいずれかの組み合わせを含む、
請求項９に記載のユーザ装置。
【請求項１１】
前記アンテナポート情報及び前記マッピング関係は、報知信号、ＲＲＣ専用信号、ＭＡＣレイヤ信号、又は物理レイヤ信号により取得される
請求項９又は１０に記載のユーザ装置。
【請求項１２】
前記取得部の取得する前記アンテナポート情報は少なくとも２種類であり、かつ前記取得するマッピング関係は複数対１のマッピング関係又は複数対複数のマッピング関係である、
請求項９に記載のユーザ装置。
【請求項１３】
Ｄ−物理下りリンク制御チャネル（Ｄ−ＰＤＣＣＨ）の占有するアンテナポート情報の少なくとも１種類をユーザ装置（ＵＥ）に対して設定する設定部と、
前記アンテナポート情報と第２の情報との間のマッピング関係を取得する取得部と、
前記Ｄ−ＰＤＣＣＨのサーチ領域情報を決定するサーチ領域決定部と、
前記Ｄ−ＰＤＣＣＨの占有するアンテナポート情報の前記少なくとも１種類に従って、前記サーチ領域の中の前記Ｄ−ＰＤＣＣＨを前記ＵＥに対して送信する送信部と
を備え、
前記アンテナポート情報と第２の情報との間の前記マッピング関係は：
前記アンテナポート情報と前記Ｄ−ＰＤＣＣＨのアグリゲーションレベルとの間のマッピング関係；又は
前記アンテナポート情報と前記Ｄ−ＰＤＣＣＨの占有するリソースとの間のマッピング関係；
の複数のマッピング関係の内のいずれか１つ又はいずれかの組み合わせを含む、
基地局。
【請求項１４】
前記アンテナポート情報と前記Ｄ−ＰＤＣＣＨにより占有されるリソースとの間の前記マッピング関係は、
前記アンテナポート情報と前記Ｄ−ＰＤＣＣＨにより占有されるＣＣＥとの間のマッピング関係；及び
前記アンテナポート情報と特定のアグリゲーションレベルの検出位置の候補との間のマッピング関係；
の複数のマッピング関係の内のいずれか１つ又はいずれかの組み合わせを含む、
請求項１３に記載の基地局。
【請求項１５】
前記設定部の設定する前記アンテナポート情報は少なくとも２種類であり、かつ前記取得部の取得する前記マッピング関係は複数対１のマッピング関係又は複数対複数のマッピング関係である、
請求項１３に記載の基地局。
【請求項１６】
コンピュータにより実行された場合に、該コンピュータに請求項１から８のいずれか１項に記載された方法の各ステップを実行させる指令を含む、コンピュータ可読記憶媒体。
【発明の詳細な説明】
【技術分野】
【０００１】
本発明は、無線通信システムに関するもので、特に、情報を検出及び送信するための方法及び装置に関する。
【背景技術】
【０００２】
現在のロングタームエボリューション（ＬＴＥ）システムにおいて、サブフレームは、基地局（ｅＮＢ、  Ｅｖｏｌｖｅｄ  ＮｏｄｅＢ）によりスケジュールされる最小の時間単位であり、各サブフレームは、２つのタイムスロットを含み、かつ、各タイムスロットは７つのシンボルを含む。サブフレームは、スケジュールされるＵＥについて、当該ユーザ装置（ＵＥ、  Ｕｓｅｒ  Ｅｑｕｉｐｍｅｎｔ）に対する物理下りリンク制御チャネル（ＰＤＣＣＨ、  Ｐｈｙｓｉｃａｌ  Ｄｏｗｎｌｉｎｋ  Ｃｏｎｔｒｏｌ  Ｃｈａｎｎｅｌ）を含む。ここで、ＰＤＣＣＨは、サブフレームの先頭のｎシンボルに含まれ、ｎは、１、２、及び３のうちのいずれか１つ、又は（システム帯域幅が１．４ＭＨｚの場合）２、３、及び４の内のいずれか１つである。
【０００３】
ＰＤＣＣＨは、下りリンクスケジューリンググラント（ＤＬ＿ｇｒａｎｔ、  Ｄｏｗｎｌｉｎｋ＿ｇｒａｎｔ）、又は上りリンクスケジューリンググラント（ＵＬ＿ｇｒａｎｔ、  Ｕｐｌｉｎｋ＿ｇｒａｎｔ）を伝送し、これらは、それぞれ、物理下りリンク共有チャネル（ＰＤＳＣＨ）、又は物理上りリンク共有チャネル（ＰＵＳＣＨ）のスケジューリング情報を伝送する。異なる特定のデータ種別（例えば、マルチインプットマルチアウトプット（ＭＩＭＯ）データ、及び、非ＭＩＭＯデータ）に応じて、ＰＤＣＣＨは、異なる下りリンク制御情報（ＤＣＩ、  Ｄｏｗｎｌｉｎｋ  Ｃｏｎｔｒｏｌ  Ｉｎｆｏｒｍａｔｉｏｎ）フォーマットを有する場合がある。例えば、ＤＣＩフォーマットは、０、１、１Ａ、２、２Ａ、２Ｂ、及び２Ｃであってもよい。これらのＤＣＩフォーマットに対応するＰＤＣＣＨのペイロードサイズ（標準テキストにおいて、ペイロードサイズ（ｐａｙｌｏａｄ  ｓｉｚｅ）という）は、一般的に異なる。
【０００４】
現在のＬＴＥシステムにおいて、ＰＤＣＣＨの復調は、一律に、セル固有の参照信号（ＣＲＳ、  Ｃｅｌｌ−ｓｐｅｃｉｆｉｃ  Ｒｅｆｅｒｅｎｃｅ  Ｓｉｇｎａｌ）に基づいている。図１は、従来技術において、サブフレーム中のＰＤＣＣＨによって、ＰＤＳＣＨがスケジュールされることを示す、概略図である。図１において、横軸は時間領域を表し、縦軸は周波数領域を表す。従来技術において、ＰＤＣＣＨ情報には、ＭＩＭＯプリコーディング処理は適用されず、ＵＥは、報知チャネル（ｂｒｏａｄｃａｓｔ  ｃｈａｎｎｅｌ）を検出することによって、ＰＤＣＣＨを送信するためのアンテナポートの情報を取得することができる。具体的には、ＰＤＣＣＨのサーチ領域の時間−空間リソースの中で、ＵＥは、ＰＤＣＣＨのペイロードサイズ及び制御チャネルエレメント（ＣＣＥ）のアグリゲーションレベルにより、ＰＤＣＣＨの復調及び復号化を行う。その後、ＵＥは、当該ＵＥのＰＤＣＣＨの確認及び決定を行うために、ＣＲＣのスクランブル解析を実行するためのＵＥ固有の無線ネットワーク一時識別子（ＲＮＴＩ）を用いる。そして、ＵＥは、ＰＤＣＣＨの中のスケジューリング情報により、当該ＰＤＣＣＨによりスケジュールされる、ＰＤＳＣＨ又はＰＵＳＣＨに対応する、受信処理及び送信処理を行う。
【０００５】
ＬＴＥシステムの将来のリリースにおいては、キャリアアグリゲーション、マルチユーザ・マルチインプットマルチアウトプット（ＭＩＭＯ、  Ｍｕｌｔｉｐｌｅ  Ｉｎｐｕｔ  Ｍｕｌｔｉｐｌｅ  Ｏｕｔｐｕｔ）、マルチポイント協調（ＣｏＭＰ、  Ｃｏｏｒｄｉｎａｔｅｄ  Ｍｕｌｔｉｐｌｅ  Ｐｏｉｎｔｓ）といった技術が導入されることになる。これらは全て、ＰＤＣＣＨの収容能力の限界につながることになる。したがって、チャネル情報のプリコーディング（ｃｈａｎｎｅｌ  ｉｎｆｏｒｍａｔｉｏｎ  ｐｒｅｃｏｄｉｎｇ）に基づいたＰＤＣＣＨが導入されることになる。このＰＤＣＣＨは、ＵＥ固有の参照信号に基づいて復調されることになる。この場合において、ＵＥ固有の参照信号は、専用参照信号（ＤＲＳ、  Ｄｅｄｉｃａｔｅｄ  Ｒｅｆｅｒｅｎｃｅ  Ｓｉｇｎａｌ）と呼ばれてもよい。その一方で、ＤＲＳに基づき復調されるＰＤＣＣＨについては、Ｄ−ＰＤＣＣＨと簡略化される。Ｄ−ＰＤＣＣＨによって、特性を向上させるための、プリコーディングゲインが得られる場合もある。
【発明の概要】
【発明が解決しようとする課題】
【０００６】
図２は、従来技術において、ＰＤＳＣＨが、サブフレームの中のＤ−ＰＤＣＣＨによってスケジュールされることを示す概略図である。Ｄ−ＰＤＣＣＨリソースは、ＰＤＳＣＨ領域内に位置しており、Ｄ−ＰＤＣＣＨによってスケジュールされるＤ−ＰＤＣＣＨ及びＰＤＳＣＨは、周波数によって分割されている。
【０００７】
しかしながら、従来技術において、ＵＥは、プリコーディングでない方式に基づき、かつ、ＣＲＳによってのみ、ＰＤＣＣＨを検出することができる。ＭＩＭＯプリコーディングに基づくＤ−ＰＤＣＣＨについて、従来技術は、検出方法を提供していない。Ｄ−ＰＤＣＣＨを検出することができない場合、データ伝送は確定的に不可能となる。従って、ＵＥにＤ−ＰＤＣＣＨを確実に検出させることは、解決すべき緊急の課題である。
【課題を解決するための手段】
【０００８】
本発明の実施例は、ＵＥがＤ−ＰＤＣＣＨを検出できるようにするために、情報の検出及び情報の伝送のための、方法及び装置を提供する。
【０００９】
本発明の実施例は、ＵＥが、基地局側で設定される、Ｄ−ＰＤＣＣＨの占有するアンテナポートの配置情報の少なくとも１種類を取得すること；前記ＵＥが、前記Ｄ−ＰＤＣＣＨのサーチ領域を決定すること；及び前記アンテナポートの配置情報に従って、前記ＵＥが、前記サーチ領域の中の前記Ｄ−ＰＤＣＣＨを検出すること、を備える情報を検出する方法を提供する。
【００１０】
本発明の実施例は、さらに、基地局装置が、Ｄ−ＰＤＣＣＨの占有するアンテナポートの配置情報の少なくとも１種類を、ＵＥに対して設定すること；前記基地局が、前記Ｄ−ＰＤＣＣＨのサーチ領域情報を決定すること；及び前記ＵＥに対して設定される前記Ｄ−ＰＤＣＣＨの占有するアンテナポートの配置情報の少なくとも１種類により、前記基地局が、前記サーチ領域の前記Ｄ−ＰＤＣＣＨを前記ＵＥに送信すること、を含む、基地局に適用可能な情報伝送方法を提供する。
【００１１】
本発明の実施例は、さらに、基地局側で設定される、Ｄ−ＰＤＣＣＨの占有するアンテナポートの配置情報の少なくとも１種類を取得する取得部；前記Ｄ−ＰＤＣＣＨのサーチ領域を決定する決定部；及び前記アンテナポートの配置情報に従って、前記サーチ領域の中の前記Ｄ−ＰＤＣＣＨを検出する検出部、を備えるユーザ装置を提供する。
【００１２】
本発明の実施例は、さらに、Ｄ−ＰＤＣＣＨの占有するアンテナポートの配置情報の少なくとも１種類をＵＥに対して設定する設定部；前記Ｄ−ＰＤＣＣＨのサーチ領域情報を決定するサーチ領域決定部；及び前記ＵＥに対して設定された前記Ｄ−ＰＤＣＣＨによって占有されるアンテナポートの配置情報の少なくとも１種類に従って、前記ＵＥに、前記サーチ領域の中の前記Ｄ−ＰＤＣＣＨを送信する送信部を備える基地局を提供する。
【００１３】
本発明の実施例により提供される前記方法及び前記装置によれば、ＵＥはＤ−ＰＤＣＣＨを検出することができ、その結果、前記検出されたＤ−ＰＤＣＣＨによりデータを伝送することができる。さらに、既存システムにおける、時間−空間リソースに基づく、ＵＥによるＰＤＣＣＨのブラインド検出は、空間次元、すなわちアンテナポート、に対して拡張され、これによりリソースの利用効率を高め、前記Ｄ−ＰＤＣＣＨは、前記空間次元において検出することが可能となる。このように、Ｄ−ＰＤＣＣＨ検出方法が提供され、ＭＵ−ＭＩＭＯにおける前記Ｄ−ＰＤＣＣＨのスケジューリングにおける柔軟性が向上し、そして前記ＰＤＣＣＨの受信性能が向上する。追加的に、前記ＵＥによるブラインド検出の回数は、既存システムにおけるものよりも大きくならないように維持される。すなわち、前記ＵＥの実装の複雑さが増大することはない。
【図面の簡単な説明】
【００１４】
本願発明の実施例又は従来技術における技術的解決手段をより明確に説明するため、実施例又は従来技術を説明するのに必要な添付図面を以下に簡潔に示す。以下の説明における添付図面は、本発明のいくつかの実施例のみを示すものであり、当業者は、明らかに、創造的努力なしで、これらの添付図面から、その他の図面をさらに導出することが可能である。
【００１５】
【図１】従来技術において、サブフレームの中のＰＤＣＣＨによりスケジュールされるＰＤＳＣＨを示す概略図である。
【図２】従来技術において、サブフレームの中のＤ−ＰＤＣＣＨによってＰＤＳＣＨがスケジュールされることを示す概略図である。
【図３】本発明の実施例に従う、情報検出方法のフローチャートである。
【図４】本発明の実施例に従う、別の情報検出方法のフローチャートである。
【図５】本発明の実施例に従う、ＵＥの概略構成図である。
【図６】本発明の実施例に従う、基地局の概略構成図である。
【図７】本発明の実施例に従う、別の基地局の概略構成図である。
【発明を実施するための形態】
【００１６】
以下において、本発明の実施例の添付図面を参照することにより、本発明の実施例における技術的解決手段を明確かつ十分に説明する。説明される実施例は、明らかに、本発明の実施例の全てではなく、その一部分である。本発明の実施例に基づき、創造的努力なしに、当業者によって取得される全ての実施例は、本発明の保護範囲に属することになる。
【００１７】
この出願をより良く説明するために、以下において、まず、サーチ領域及びサーチの回数について、簡潔に説明する。
【００１８】
サーチ領域そのものは、従来技術における既存の概念である。このため、ここにおいて、サーチ領域については簡潔に説明するのみとする。サーチ領域は、制御チャネルエレメント（ＣＣＥ）によって定められるリソースの区分である。ここで、ＣＣＥは、ＰＤＣＣＨを形成する要素である。チャネル状態に応じて、ＵＥは、送信用の（異なる符号化率に対応する）４つのＣＣＥアグリゲーションレベル、すなわち、１、２、４及び８を用いることができる。各ＵＥは、固有のサーチ領域を有する。ＵＥ固有のサーチ領域は、ＵＥ固有のＲＮＴＩ、ＣＣＥアグリゲーションレベル及びサブフレーム数によって定められる。
【００１９】
ＤＣＩフォーマットに対応するＰＤＣＣＨを検出するために、ＵＥによって実行される、４つのＣＣＥアグリゲーションレベルに対応する、サーチ領域のＰＤＣＣＨ候補のブラインド検出の回数、すなわち、検索の回数は、それぞれ、６、６、２及び２であり、合計の回数は、６＋６＋２＋２＝１６である。
【００２０】
ｅＮＢは、ＲＲＣ個別信号により、ＵＥのデータチャネル伝送の伝送モードを設定する。各伝送モードにおいて、ＵＥは、２つのＤＣＩフォーマット（上りリンクのＭＩＭＯを考慮する場合、３つのＤＣＩフォーマットであり得る）をブラインド検出する必要がある。その一方（上りリンクのＭＩＭＯを考慮する場合、２つとなる場合がある）は、現在のモードに関するＤＣＩフォーマットであり、例えばＤＣＩフォーマット１、２、２Ａ、２Ｃ及び４である。その他方は、各モードにおける共通ＤＣＩフォーマットであり、一般に、ＤＣＩフォーマット０又は１Ａである（これら２つは、それぞれ、等しいペイロードサイズを有するＵＬグラント及びＤＬグラントであり、シグナリングのヘッダーのビットで識別され、ここでのＤＣＩフォーマットとして用いられる）。ＵＥが、検出すべき２つのＤＣＩフォーマットを伝送モードにより決定すること及び各ＤＣＩフォーマットを検出するためにＵＥにより必要とされる前述のブラインド検出の回数とを組み合わせて考慮すると、前記ＵＥによる、前記ＵＥ固有のサーチ領域におけるブラインド検出の合計の回数は、２＊（６＋６＋２＋２）＝３２となる。
＜実施例１＞
【００２１】
図３は、本発明の実施例による、情報検出方法のフローチャートである。この手順は、ユーザ装置端末に適用することができ、具体的には以下の手順を含んでもよい：
【００２２】
ステップ３０１：ＵＥは、基地局側で設定される、Ｄ−ＰＤＣＣＨの占有するアンテナポートの配置情報の少なくとも１種類を取得する。
【００２３】
一つの実施例において、当該アンテナポートの配置情報は、少なくとも、アンテナポート情報、及びアンテナポートに対応するユーザ固有の参照信号のスクランブリングコードのＩＤ情報及びコードワード情報を含む。当該アンテナポート情報は、アンテナポート番号及びアンテナポートの数量を含み；スクランブリングコードＩＤ情報は、スクランブリングコードのＩＤ番号を含み；コードワード情報は、コードワード番号及びコードワードの数量を含む。
【００２４】
別の実施例において、アンテナポートの配置情報は、上記の情報に加えて、以下のうちの１つ又は任意の組合せをさらに含んでもよい：アンテナポートに対応するＵＥ固有の参照信号の直交拡散符号の長さ、及びアンテナポート情報とコードワード情報との間のマッピング関係。
【００２５】
アンテナポートの配置情報は、報知信号、無線リソース制御（ＲＲＣ、  Ｒａｄｉｏ  Ｒｅｓｏｕｒｃｅ  Ｃｏｎｔｒｏｌ）個別信号、メディアアクセス制御（ＭＡＣ、  Ｍｅｄｉａ  Ａｃｃｅｓｓ  Ｃｏｎｔｒｏｌ）レイヤの信号、又は物理レイヤの信号から取得することができる。ここで、物理レイヤの信号は、ＰＤＣＣＨであってもよい。
【００２６】
本出願において、アンテナポートの配置情報の種類は、アンテナポートの配置情報における特定のパラメータの組合せによって決定される。例えば、当該アンテナポートの配置情報の種類は、アンテナポート情報と、アンテナポートに対応するＵＥ固有の参照信号のスクランブリングコードＩＤ情報及びコードワード情報の組合せによって決定される。当該２つのパラメータ、アンテナポート情報及びコードワード情報は、それぞれ、例えば、アンテナポートの数量、コードワードの数量、アンテナポート番号及びコードワード番号といった、数量及び値を含む。当該パラメータ、ＵＥ固有の参照信号のスクランブリングコードＩＤは、ＵＥ固有の参照信号のスクランブリングコードＩＤ番号を含む。例えば、当該パラメータの組合せとして、Ｄ−ＰＤＣＣＨがアンテナポート番号７を有するポート（アンテナポートの数量は１）で送信され、ＵＥ固有の参照信号のスクランブリングコードＩＤ番号が０であり、かつコードワード番号が０である場合（コードワードの数量は１）、上記パラメータの組合せに従って、１種類のアンテナポートの配置情報が取得されてもよい。別のパラメータの組合せとして、Ｄ−ＰＤＣＣＨがアンテナポート番号８を有するポート（アンテナポートの数量は１）で送信され、ＵＥ固有の参照信号のスクランブリングコードＩＤ番号が１であり、かつコードワード番号が１である場合（コードワードの数量は１）、上記パラメータの組合せに従って、別の種類のアンテナポートの配置情報が取得されてもよい。別のパラメータの組合せとして、Ｄ−ＰＤＣＣＨがアンテナポート番号７及び８を有するポート（アンテナポートの数量は２）で送信され、ＵＥ固有の参照信号のスクランブリングコードＩＤ番号が０であり、かつコードワード番号が０及び１である場合（コードワードの数量は２）、別の種類のアンテナポートの配置情報が取得されてもよい。以下の複数の実施例のほとんどの実施例において、説明を容易にするため、アンテナポートの配置情報がアンテナポート情報である例が用いられる。そして、この場合、ＵＥ固有の参照信号のコードワード情報及びスクランブリングコードＩＤは、例えば、単一のコードワード０及びスクランブリングコードＩＤ番号０といったように、特定されていると仮定する。
【００２７】
ステップ３０２：ＵＥは、Ｄ−ＰＤＣＣＨのサーチ領域を決定する。ここで、サーチ領域は、時間−空間リソースの中のＤ−ＰＤＣＣＨの少なくとも一つのＤ−ＰＤＣＣＨ候補について、検出すべき位置を示す。
【００２８】
従来技術のように、サーチ領域は、ＣＣＥによって定められるリソースのブロックであってもよく、この場合、ＣＣＥは、アグリゲーションレベルの最小の単位である。また、当該サーチ領域は、リソースブロック（ＲＢ、  Ｒｅｓｏｕｒｃｅ  Ｂｌｏｃｋ）又は一対のＲＢにより定められるリソースのブロックであってもよく、この場合、ＲＢ又は一対のＲＢは、アグリゲーションレベルの最小の単位である。
【００２９】
当該サーチ領域は、報知信号、ＲＲＣ個別信号又は基地局側で送信するＰＤＣＣＨから取得してもよく、或いは当該ＵＥ自身で決定し、当該基地局側に送信してもよい。
【００３０】
サーチ領域は、時間−周波数リソースの中の定められた位置であってもよい。すなわち、ＵＥがスケジュールされる場合、ｅＮＢは、当該Ｄ−ＰＤＣＣＨをその位置において確定的に送信することになる。これに対応して、当該ＵＥは、その位置において当該Ｄ−ＰＤＣＣＨを直接検出することになる。
【００３１】
また、サーチ領域は、時間−周波数リソースの中の複数の候補位置であってもよい。ＵＥがスケジュールされる場合、ｅＮＢは、Ｄ−ＰＤＣＣＨを送信するための複数の候補位置の１つを選択することが可能であり、そして、ＵＥは、その複数の候補位置において、Ｄ−ＰＤＣＣＨのブラインド検出を行うことになる。
【００３２】
ステップ３０３：ＵＥは、アンテナポートの配置情報に従って、サーチ領域内において当該Ｄ−ＰＤＣＣＨを検出する。
【００３３】
上記手順によれば、一つの実施例において、ｅＮＢは、Ｄ−ＰＤＣＣＨのアンテナポートの配置情報をＵＥに通知すると仮定され、特に、ｅＮＢは、ＵＥにより検出されるべきＤ−ＰＤＣＣＨがアンテナポート７にあることをＵＥに通知すると仮定される。その結果、当該情報を受信した後、ＵＥは、決定したサーチ領域に基づいて、アンテナポート７において当該Ｄ−ＰＤＣＣＨ情報を検出する。このように、Ｄ−ＰＤＣＣＨを送信するためのアンテナポートの情報を記憶した後、ＵＥは、当該アンテナポートにおいてｅＮＢによって送信されるＤ−ＰＤＣＣＨを検出することができ、これによりデータ伝送が確保される。
【００３４】
別の実施例において、ｅＮＢは、Ｄ−ＰＤＣＣＨの２種類のアンテナポートの配置情報をＵＥに通知すると仮定され、特に、ｅＮＢは、ＵＥが検出すべきＤ−ＰＤＣＣＨがアンテナポート７にあることをＵＥに通知するか、又はアンテナポート７及び８にあると通知すると仮定される。その結果、当該情報を受信した後、ＵＥは、決定したサーチ領域に基づき、単一のアンテナポートに対する方法で、アンテナポート７において、Ｄ−ＰＤＣＣＨを検出し、また、二つのアンテナポートに対する方法で、アンテナポート７及び８において、Ｄ−ＰＤＣＣＨを検出する。
【００３５】
図３の手順は、さらに、前記ＵＥにより、アンテナポートの配置情報と第２の情報との間のマッピング関係を取得することを含んでもよく、この場合、ＵＥは、サーチ領域のＤ−ＰＤＣＣＨを、当該アンテナポートの配置情報及びマッピング関係により取得することを含んでもよいことに注意する。
【００３６】
アンテナポートの配置情報と第２の情報の間のマッピング関係は、以下のマッピング関係のうちのいずれか一つ、又は以下のマッピング関係のうちのいずれかの組合せを含む：
アンテナポートの配置情報とＤ−ＰＤＣＣＨの用いるＤＣＩフォーマットとの間のマッピング関係；
アンテナポートの配置情報とＤ−ＰＤＣＣＨのアグリゲーションレベルとの間のマッピング関係；
アンテナポートの配置情報とＤ−ＰＤＣＣＨの占有するリソースとの間のマッピング関係；及び
アンテナポートの配置情報とＤ−ＰＤＣＣＨの中で運ばれる各キャリアのスケジューリング情報との間のマッピング関係。
【００３７】
以下において、上記マッピング関係をそれぞれ説明する。
【００３８】
Ａ．ＵＥは、アンテナポートの配置情報とＤ−ＰＤＣＣＨに対応する少なくとも１つのＤＣＩフォーマットとの間のマッピング関係を取得する。この場合、サーチ領域においてＤ−ＰＤＣＣＨを検出するステップは、ＵＥが、当該アンテナポートの配置情報とマッピング関係とにより、サーチ領域においてＤ−ＰＤＣＣＨを検出することを含む。アンテナポートの配置情報は、１種類であってもよく、その結果、マッピング関係は、１対１、又は１対複数の関係であってもよい。或いはアンテナポートの配置情報は、少なくとも２種類であってもよく、その結果、マッピング情報は、複数対１、又は複数対複数のマッピング関係であってもよい。
【００３９】
アンテナポートの配置情報が、使用されるＤＣＩフォーマットに対してどのように対応するかを説明するための例として、アンテナポート情報を用いる。
【００４０】
マッピング関係が１対１のマッピング関係であることは、ＤＣＩフォーマットに対応するＤ−ＰＤＣＣＨが、単一のアンテナポートの設定において伝送されることを示す。例えば、ＤＣＩフォーマットに対応するＤ−ＰＤＣＣＨは、アンテナポート７において伝送される。
【００４１】
マッピング関係が１対複数のマッピング関係である場合、そのことは、複数のＤＣＩフォーマットに対応する複数のＤ−ＰＤＣＣＨが、全て単一のアンテナポートの設定において伝送されることを意味する。例えば、２つのＤＣＩフォーマットに対応する複数のＤ−ＰＤＣＣＨは、全てアンテナポート７において伝送される。
【００４２】
マッピング関係が複数対１のマッピング関係である場合、そのことは、ＤＣＩフォーマットに対応するＤ−ＰＤＣＣＨが複数のアンテナポートの設定により伝送される可能性があることを示す。例えば、ＤＣＩフォーマットに対応するＤ−ＰＤＣＣＨは、アンテナポート７又は８において伝送される。マッピング関係が複数対複数のマッピング関係である場合、そのことは、複数のＤＣＩフォーマットに対応する複数のＤ−ＰＤＣＣＨが、複数のアンテナポートの設定において伝送されることを示す。例えば、２つのＤＣＩフォーマットに対応する複数のＤ−ＰＤＣＣＨは、全てアンテナポート７又は８において伝送される。
【００４３】
説明を簡単にするため、アンテナポートの設定の中でＤ−ＰＤＣＣＨが伝送される伝送方式を示すためのシンボル｛｝を導入する。具体的には、｛７｝は、Ｄ−ＰＤＣＣＨが、単一のアンテナポートに対する方法で、アンテナポート７で伝送されることを示す。すなわち、単一のアンテナポートに対する方法で、ＵＥがアンテナポート７で、Ｄ−ＰＤＣＣＨを検出することを示す。｛７、８｝は、二つのアンテナポートに対する方法において、アンテナポート７及び８において、Ｄ−ＰＤＣＣＨを伝送することを示す。すなわち、二つのアンテナポートに対する方法においてＵＥがアンテナポート７及び８で、Ｄ−ＰＤＣＣＨを検出することを示す。｛｝における、その他のアンテナポート番号及びアンテナポートの数量についての説明も同様である。
【００４４】
具体的には、ＵＥは、Ｄ−ＰＤＣＣＨのアンテナポートを、キャリアの設定の中の異なるＤＣＩフォーマットによりマップしてもよい。ｅＮＢが、ＵＥに対して、二つのキャリアを設定することが仮定される。この場合、ＵＥが検出するＤＣＩフォーマットは、単一のキャリア（当該単一のキャリアは、プライマリキャリアであってもよい）のスケジューリング情報を運ぶ第１のＤＣＩフォーマット及びこれらの２つのキャリアの結合スケジューリング情報（ｊｏｉｎｔ  ｓｃｈｅｄｕｌｉｎｇ  ｉｎｆｏｒｍａｔｉｏｎ）を運ぶ第２のＤＣＩフォーマットを含む。前者の場合、ＵＥは、単一のアンテナポート、例えば、アンテナポート｛７｝に基づき、Ｄ−ＰＤＣＣＨを検出してもよく、或いはアンテナポート｛７｝及び｛８｝に対して、それぞれブラインド検出を行ってもよい。後者の場合、以下の３つの状況がある。
【００４５】
状況１：ＵＥは、２つのアンテナポート、例えば、アンテナポート｛７、８｝に基づいて、Ｄ−ＰＤＣＣＨを検出してもよく、この場合、各アンテナポートに対するブラインド検出は必要ではない。
【００４６】
状況２：ＵＥは、２つのアンテナポートに基づき、｛７、８｝及び｛９、１０｝のポートそれぞれに対するブラインド検出を実行する。その効果として、その他のＵＥと組み合わせて、Ｄ−ＰＤＣＣＨのＭＵ−ＭＩＭＯ伝送を、ダイナミックかつ柔軟に行うことが可能となる。具体的には、Ｄ−ＰＤＣＣＨは４つのレイヤを用いて伝送されるが、ＵＥはアンテナポート｛７、８｝を使用し、別のＵＥ１はアンテナポート｛９、１０｝を使用すると仮定する。当該ＵＥのチャネルを、ＵＥ１との組み合わせのためには適用できないが、ＵＥ２との組み合わせのために適用可能であり、ＵＥ２のポートが｛７、８｝と設定されている場合、当該ＵＥは、ＵＥ２との組み合わせを行うために、ポート｛９、１０｝を使用してもよい。このように、異なるポートに対するブラインド検出を行うことで、システムによるＭＵ−ＭＩＭＯ伝送におけるＤ−ＰＤＣＣＨのスケジューリングの柔軟性が向上する。
【００４７】
状況３：少なくとも１つのＤＣＩフォーマットが、少なくとも２つのアンテナポート設定に対応する。ここで、２つのアンテナポートの設定のアンテナポートの数量は異なる。つまり、ＵＥは、アンテナポートの異なる数量の設定に対して、ブラインド検出を行ってもよい。具体的には、第２のＤＣＩフォーマットに対して、設定可能なアンテナポートは｛７，８｝及び｛７｝である。このため、ＵＥの２つのキャリアをスケジュールするために、ｅＮＢは、サブフレームにおいて、第２のＤＣＩフォーマットに対応するＤ−ＰＤＣＣＨを伝送する必要がある。この時、チャネルが２レイヤ伝送に対応可能あれば、ｅＮＢは、第２のＤＣＩフォーマットを伝送するために、アンテナポート｛７、８｝を使用してもよい。この時、チャネルが１レイヤ伝送のみに対応可能であれば、ｅＮＢは、第２のＤＣＩフォーマットを伝送するために、アンテナポート｛７｝に戻してもよい。従って、ＵＥは、ダイナミックにチャネルの変更に適応することができ、異なる数量のポートの設定に対するブラインド検出によって、データ伝送を完了することができる。
【００４８】
さらに、別の実施例において、第１のＤＣＩフォーマットが第１のアンテナポートの配置情報に対応し、第２のＤＣＩフォーマットが第２のアンテナポートの配置情報に対応し、第１のＤＣＩフォーマットに対応するＤ−ＰＤＣＣＨのペイロードサイズが第２のＤＣＩフォーマットに対応するＤ−ＰＤＣＣＨのペイロードサイズに等しく、かつペイロードサイズを２つのＤＣＩフォーマットの中の情報を使用して識別できる場合、第１のＤＣＩフォーマットに対応するＤ−ＰＤＣＣＨ及び第２のＤＣＩフォーマットに対応するＤ−ＰＤＣＣＨは、第１及び第２のアンテナポートの配置情報を共有してもよい。例えば、第１のＤＣＩフォーマットがアンテナポート７に対応し、第２のＤＣＩフォーマットがアンテナポート８に対応し、２つのＤＣＩフォーマットのペイロードサイズが等しく、かつ２つのＤＣＩフォーマットにおけるヘッダーのビットを使用して識別される場合、第１のＤＣＩフォーマットに対応するＤ−ＰＤＣＣＨ及び第２のＤＣＩフォーマットに対応するＤ−ＰＤＣＣＨを、ポート７及びポート８で伝送することができる。これに対応して、ＵＥは、２つのＤＣＩフォーマットに対応するＤ−ＰＤＣＣＨをポート７及び８において検出する必要があり、かつ２つのＤＣＩフォーマットを２つのＤＣＩフォーマットにおけるヘッダーのビットを使用して識別する必要がある。
【００４９】
上記の解決手段は、キャリアの次元（ｃａｒｒｉｅｒ  ｄｉｍｅｎｓｉｏｎ）において拡張され、ＤＣＩに対応するＤ−ＰＤＣＣＨは、例えば、一つ又は複数のキャリアのどれがスケジュールされているかを具体的に示すキャリア指示フィールド（ｃａｒｒｉｅｒ  ｉｎｄｉｃａｔｏｒ  ｆｉｅｌｄ）といった、キャリアのスケジューリングを示す情報を含む。具体的には、第１のキャリアをスケジュールする、少なくとも２つのＤＣＩフォーマットに対応するＤ−ＰＤＣＣＨが、第１のアンテナポートの配置情報に対応し、第２のキャリアをスケジュールする、少なくとも２つのＤＣＩフォーマットに対応するＤ−ＰＤＣＣＨが、第２のアンテナポートの配置情報に対応し、かつ第１のキャリアをスケジュールする、少なくとも２つのＤＣＩフォーマットのうちの少なくとも第１のＤＣＩフォーマットが、第２のキャリアをスケジュールする、少なくとも２つのＤＣＩフォーマットのうちの少なくとも第２のＤＣＩフォーマットと同じペイロードサイズを有する場合、第１のＤＣＩフォーマットに対応するＤ−ＰＤＣＣＨ及び第２のＤＣＩフォーマットに対応するＤ−ＰＤＣＣＨは、第１のアンテナポートの配置情報及び第２のアンテナポートの配置情報を共有してもよい。例えば、第１のキャリアをスケジュールするＤＣＩフォーマット１及びＤＣＩフォーマット２がアンテナポート７に対応し、第２のキャリアをスケジュールするＤＣＩフォーマット３及びＤＣＩフォーマット４がアンテナポート８に対応し、かつＤＣＩフォーマット１が、ＤＣＩフォーマット３と同じペイロードサイズを有する場合、ＤＣＩフォーマット１に対応するＤ−ＰＤＣＣＨ及びＤＣＩフォーマット３に対応するＤ−ＰＤＣＣＨを、全て、ポート７及びポート８において伝送してもよい。これに対応して、ＵＥは、ＤＣＩフォーマット１に対応するＤ−ＰＤＣＣＨ及びＤＣＩフォーマット３に対応するＤ−ＰＤＣＣＨを、ポート７及びポート８において検出する必要があり、キャリア指示フィールドを用いて、ＤＣＩフォーマット１及びＤＣＩフォーマット３を識別する必要がある。しかしながら、第１のキャリアをスケジュールするＤＣＩフォーマット２をポート７においてのみ伝送し、第２のキャリアをスケジュールするＤＣＩフォーマット４をポート８においてのみ伝送してもよい（ＤＣＩフォーマット２のペイロードサイズとＤＣＩフォーマット４のペイロードサイズが等しくないことを仮定する）。上記の解決手段において、同じペイロードサイズを有する異なるＤＣＩフォーマット、又は異なるキャリアに対応する各ＤＣＩフォーマットは、アンテナポートの配置情報を共有することができる。このことにより、ＵＥによるＤ−ＰＤＣＣＨのブラインド検出の追加回数が増加することはない。
【００５０】
Ｂ．ＵＥは、アンテナポートの配置情報とＤ−ＰＤＣＣＨのアグリゲーションレベルとの間のマッピング関係を取得する。この場合、サーチ領域においてＤ−ＰＤＣＣＨを検出するステップは、ＵＥが、アンテナポートの配置情報及び当該マッピング関係によって、サーチ領域におけるＤ−ＰＤＣＣＨを検出することを含む。アンテナポートの配置情報は、１種類であってもよく、その結果として、マッピング関係は、１対１又は１対複数のマッピング関係であってもよい。或いは、アンテナポートの配置情報は、少なくとも２種類であってもよく、その結果として、マッピング関係は、複数対１又は複数対複数のマッピング関係であってもよい。
【００５１】
例えば、アグリゲーションレベル１のＤ−ＰＤＣＣＨ及びアグリゲーションレベル４のＤ−ＰＤＣＣＨは、アンテナポート｛７｝で送信され、アグリゲーションレベル２のＤ−ＰＤＣＣＨ及びアグリゲーションレベル８のＤ−ＰＤＣＣＨは、アンテナポート｛８｝で送信される。このように、伝送に用いるアンテナポートとアグリゲーションレベルとの間のマッピング関係によって、Ｄ−ＰＤＣＣＨを検出することができる。
【００５２】
Ｃ．ＵＥは、アンテナポートの配置情報とＤ−ＰＤＣＣＨの占有するリソースとの間のマッピング関係を取得する。この場合、サーチ領域において、Ｄ−ＰＤＣＣＨを検出するステップは、アンテナポートの配置情報及びマッピング関係によって、ＵＥが、サーチ領域の中のＤ−ＰＤＣＣＨを検出することを含む。Ｄ−ＰＤＣＣＨによって占有されるリソースは、時間リソース、周波数リソース及び符号リソースのうちの１つ以上を含む。アンテナポートの配置情報は、１種類であってもよく、その結果として、マッピング関係は、１対１又は１対複数のマッピング関係であってもよい。或いは、アンテナポート構成情報は、少なくとも２種類であってもよく、その結果として、マッピング関係は、複数対１又は複数対複数のマッピング関係であってもよい。
【００５３】
アンテナポートの配置情報がどのようにリソースと対応するかを説明するための例として、アンテナポート情報を用いる。
【００５４】
時間領域リソースを例として用いて、現在のサブフレームがタイプ１のサブフレームである場合、Ｄ−ＰＤＣＣＨはアンテナポート７で伝送され、かつ現在のサブフレームがタイプ２のサブフレームである場合、Ｄ−ＰＤＣＣＨはアンテナポート８で伝送される。タイプ１のサブフレーム及びタイプ２のサブフレームは、それぞれ、奇数のサブフレーム番号及び偶数のサブフレーム番号に対応してもよい。すなわち、奇数のサブフレーム番号に対応するサブフレームは、タイプ１のサブフレームであり、かつ偶数のサブフレーム番号に対応するサブフレームは、タイプ２のサブフレームである。或いは、サブフレーム１からサブフレームＴまで、アンテナポート７が伝送に使用され、サブフレームＴ＋１からサブフレーム２Ｔまで、アンテナポート８が伝送に使用され、サブフレーム２Ｔ＋１からサブフレーム３Ｔまで、アンテナポート７が伝送に使用され、サブフレーム３Ｔ＋１からサブフレーム４Ｔまで、アンテナポート８が伝送に使用される等といったように、時間間隔としてのＴを用いて、タイプ１のサブフレーム及びタイプ２のサブフレームが識別される。ここで、サブフレーム１からサブフレームＴ及びサブフレーム２Ｔ＋１からサブフレーム３Ｔは、タイプ１のサブフレームであり、サブフレームＴ＋１からサブフレーム２Ｔ及びサブフレーム３Ｔ＋１からサブフレーム４Ｔは、タイプ２のサブフレームである。
【００５５】
要するに、ＵＥは、アンテナポートの配置情報と時間領域リソースとの間のマッピング関係を取得する。ここで、Ｄ−ＰＤＣＣＨは、具体的には、例えば、奇数のサブフレームに対応するポート７及び偶数のサブフレームに対応するポート８に位置する。
【００５６】
奇数のサブフレームの場合、ＵＥは、上記マッピング関係に従って、ポート７においてＤ−ＰＤＣＣＨを検出し、偶数のサブフレームの場合、ポート８においてＤ−ＰＤＣＣＨを検出する。
【００５７】
Ｄ−ＰＤＣＣＨのアンテナポートの配置情報は、さらに、ＲＢの中の検出位置の候補又はＣＣＥの中の検出位置の候補、又は特定のアグリゲーションレベルに対応してもよい。具体的には、アンテナポートの配置情報は、１種類であってもよく、その結果として、マッピング関係は１対１又は１対複数のマッピング関係であってもよい。或いは、アンテナポートの配置情報は、少なくとも２種類であってもよく、その結果として、マッピング関係は複数対１又は複数対複数のマッピング関係であってもよい。
【００５８】
具体的には、特定のアグリゲーションレベルにおける検出位置の候補を例として用いて、アグリゲーションレベル１のサーチ領域におけるＤ−ＰＤＣＣＨ候補の６つの位置がＰ１、Ｐ２、．．．、Ｐ６であると仮定して、ＵＥは、アンテナポート７の時間−空間位置Ｐ１、Ｐ２及びＰ３のＤ−ＰＤＣＣＨを検出し、またアンテナポート８の時間−空間位置Ｐ４、Ｐ５及びＰ６のＤ−ＰＤＣＣＨを検出してもよい。その他のアグリゲーションレベルのサーチ領域及びその他のマッピング関係について、同様の処理が行われるが、それについてはここでは限定されない。別の例において、Ｄ−ＰＤＣＣＨの異なるアンテナポート設定は、時間−周波数領域の異なるサーチ領域に対応してもよい。例えば、アンテナポート７はサーチ領域１に対応し、かつアンテナポート８はサーチ領域２に対応する。特定のサーチ領域は、予め定められた規則を用いて決定してもよく、例えば、ＵＥＩＤとアンテナポート情報を用いて決定してもよい。この場合、ＵＥは、アンテナポート７のサーチ領域１の中のＤ−ＰＤＣＣＨを検出し、アンテナポート８のサーチ領域２の中のＤ−ＰＤＣＣＨを検出してもよい。異なるアンテナ設定に対応するサーチ領域の中の時間−空間リソースは、重ならないことが好ましい。例えば、Ｐ１、Ｐ２及びＰ３は、Ｐ４、Ｐ５及びＰ６と重ならないか、或いはサーチ領域１の時間−周波数リソースは、サーチ領域２の時間−周波数リソースと重ならないので、異なるアンテナポートによって、ＵＥがそれぞれ並列処理を行うのに都合がよく、これにより、ＵＥ側での実装の複雑さが軽減される。選択的に、Ｐ１、Ｐ２及びＰ３は、Ｐ４、Ｐ５及びＰ６と重なってもよい。つまり、時間−周波数リソース上の３つの候補位置だけが占有されるが、これらの位置は、空間的には複数のレイヤとなる。
【００５９】
その他の周波数、符号リソース、又はその組合せのリソースと、アンテナポートの配置情報との間のマッピング関係は、上記時間−周波数リソースの場合と同様であるので、ここにおいてはこれ以上は説明しない。
【００６０】
Ｄ．ＵＥは、アンテナポートの配置情報とＤ−ＰＤＣＣＨ内の中で運ばれる各キャリアのスケジューリング情報との間のマッピング関係を取得する。この場合、サーチ領域においてＤ−ＰＤＣＣＨを検出するステップは、ＵＥが、アンテナポートの配置情報及びマッピング関係によって、サーチ領域の中のＤ−ＰＤＣＣＨを検出することを含む。アンテナポートの配置情報は、１種類であってもよく、その結果として、マッピング関係は、１対１又は１対複数のマッピング関係であってもよい。或いは、アンテナポートの配置情報は、少なくとも２種類であってもよく、その結果として、マッピング関係は、複数対１又は複数対複数のマッピング関係であってもよい。
【００６１】
アンテナ配置情報がどのように各キャリアのスケジューリング情報と対応するかを説明するための例として、アンテナポート情報を用いる。例えば、ｅＮＢは、ＵＥに対して２つのキャリアを設定する。それらは、それぞれ、ＣＣ１及びＣＣ２である。マッピング関係は、ＣＣ１をスケジュールするスケジュール情報がアンテナポート７で伝送され、かつＣＣ２をスケジュールするスケジュール情報がアンテナポート８で伝送されるというものであってもよい。具体的には、ｅＮＢが、ＣＣ１及びＣＣ２をスケジュールするために、対応する２つのＤ−ＰＤＣＣＨを使用する場合、ＣＣ１のスケジューリング情報はコードワード１に対応してもよく、またＣＣ２のスケジューリング情報はコードワード２に対応してもよい。ここで、コードワード１はアンテナポート７に対応し、かつコードワード２はアンテナポート８に対応する。
【００６２】
さらに、スケジューリング情報を、ＣＣ１及びＣＣ２で共有されるスケジューリング情報（例えば、変調及び符号化方式フィールド）及びＣＣ１及びＣＣ２それぞれに対する、独立したスケジューリング情報（例えば、リソース割当フィールド（ｒｅｓｏｕｒｃｅ  ａｌｌｏｃａｔｉｏｎ  ｆｉｅｌｄ））に分割してもよい。ＣＣ１及びＣＣ２それぞれに対応する、独立したスケジューリング情報は、アンテナポート７及びアンテナポート８でそれぞれ伝送され、かつ、ＣＣ１及びＣＣ２で共有されるスケジューリング情報は、アンテナポート７及びアンテナポート８のうちのいずれか１つのみにおいて、伝送される。
【００６３】
アンテナポートの配置情報は、さらに、スケジュールされるキャリアの数量とのマッピング関係を有してもよい。例えば、Ｄ−ＰＤＣＣＨがキャリアのスケジューリング情報を運ぶ場合、ＵＥは、単一のアンテナポートに基づき、Ｄ−ＰＤＣＣＨを検出してもよい。ここで、ポートの設定は、｛７｝又は｛８｝であってもよい。Ｄ−ＰＤＣＣＨが２つのキャリアのスケジューリング情報を運ぶ場合、ＵＥは、二つのアンテナポートに基づき、Ｄ−ＰＤＣＣＨを検出してもよい。ここで、ポートの設定は、｛７、８｝又は｛９、１０｝であってもよい。Ｄ−ＰＤＣＣＨが４つ又は５つのキャリアの結合スケジューリング情報を運ぶ場合、ＵＥは、４つのアンテナポートに基づき、Ｄ−ＰＤＣＣＨを検出してもよい。ここで、ポートの設定は、｛７、８、９、１０｝又は｛１１、１２、１３、１４｝であってもよい。
【００６４】
図３に示される手順に基づき、Ａ、Ｂ、Ｃ及びＤのうちの１つ又はいかなる組合せを含んでもよく、追加的に、Ａ、Ｂ、Ｃ及びＤは厳密な順序ではないことに注意する。つまり、図３に示される手順に基づき、Ａ、Ａ及びＣ、又はＡ、Ｃ及びＤ等を含めてもよい。２つより多くの複数のマッピング関係が含まれる場合、当該複数のマッピング関係を伝送してもよい。例えば、Ａ及びＢの双方が含まれる場合、Ａにおけるアンテナポートの配置情報とＤ−ＰＤＣＣＨに対応する少なくとも１つのＤＣＩフォーマットとの間のマッピング関係、及びＢにおけるアンテナポートの配置情報とＤ−ＰＤＣＣＨのアグリゲーションレベルとの間のマッピング関係が共存する。また、この場合、アンテナポートの配置情報、少なくとも１つのＤＣＩフォーマット及びアグリゲーションレベルとの間にマッピング関係が存在することが理解できる。
【００６５】
例えば、第１のＤＣＩフォーマットに対応するＤ−ＰＤＣＣＨは、アグリゲーションレベル１及び４を用いて送信され、かつアンテナポート７において送信される。第２のＤＣＩフォーマットに対応するＤ−ＰＤＣＣＨは、アグリゲーションレベル２及び８を利用して送信され、かつアンテナポート８において送信される。このように、ＤＣＩフォーマット、アグリゲーションレベル及びアンテナポート情報間のマッピング関係が実現される。
【００６６】
上記の実施例は全て、アンテナポート情報を例として用いることによって説明されている。以下において、アンテナポート情報及びコードワード番号が、どのように、Ｄ−ＰＤＣＣＨ内で運ばれる各キャリアのスケジューリング情報と対応するかについて説明するために、アンテナポートの配置情報が、アンテナポート情報及びコードワード番号（スクランブリングコードＩＤは、例えばスクランブリングコードＩＤ番号０といったように、特定されている）である例を用いる。
【００６７】
例えば、伝送のために、Ｄ−ＰＤＣＣＨが２つのコードワード（コードワード番号はコードワード１及びコードワード２）を使用し、現在ＵＥに対して設定されているキャリアがコンポーネントキャリア（ＣＣ、  Ｃｏｍｐｏｎｅｎｔ  Ｃａｒｒｉｅｒ）１、ＣＣ２及びＣＣ３であると仮定して、コードワード番号とＤＣＩフォーマットとの間のマッピング関係は、ＣＣ１をスケジュールするスケジューリング情報に対応する第１のＤＣＩフォーマットがコードワード１に対応し、かつＣＣ２及びＣＣ３をスケジュールする結合スケジューリング情報に対応する第２のＤＣＩフォーマットがコードワード２に対応する、というものであってもよい。さらに、コードワード１がアンテナポート７に対応し、かつコードワード２がアンテナポート８に対応する。従って、ＣＣ１、ＣＣ２及びＣＣ３をスケジュールする全てのスケジューリング情報は、複数のコードワードのＭＩＭＯ伝送によって、同じ時間−周波数リソースを共有してもよく、これによりＤ−ＰＤＣＣＨ伝送のリソース利用効率が向上する。コードワード１に対応するＣＣ１は、プライマリキャリアであることが好ましい。すなわち、プライマリキャリアに対応するＤＣＩフォーマットは、プライマリキャリアをスケジュールするＤ−ＰＤＣＣＨの受信性能を向上するために、一つのコードワードを単独で占有することが好ましい。
【００６８】
別の例として、アンテナポートの配置情報は、１つのＤＣＩフォーマットに対応するＤ−ＰＤＣＣＨの中の制御情報の少なくとも２つの部分に対応してもよい。ここで、具体的なマッピング関係として、アンテナポートの配置情報は、１種類であり、その結果として、マッピング関係は１対１又は１対複数のマッピング関係となってもよい。或いはアンテナポートの配置情報は、少なくとも２種類であり、その結果としてマッピング関係は複数対１又は複数対複数のマッピング関係となってもよい。１つのＤＣＩフォーマットに対応するＤ−ＰＤＣＣＨの中の制御情報が、リソース割当制御情報を含む第１の部分及びリソース割当制御情報以外の制御情報を含む第２の部分の２つの部分に分割されることを仮定して（その他の分割方法については限定されない）、当該制御情報の第１の部分はコードワード１に対応し、かつ当該制御情報の第２の部分はコードワード２に対応してもよい。さらに、コードワード１はアンテナポート７に対応し、かつコードワード２はアンテナポート８に対応する。ＵＥはコードワード１及びコードワード２を、アンテナポート７及び８においてそれぞれ検出し、復号化することで制御情報の２つの部分を取得し、そして当該２つの制御情報を用いて、完成した１つのＤＣＩを生成する。この場合に関して、上りリンクの肯定応答／否定応答（ＡＣＫ／ＮＡＣＫ、  ＡＣＫｎｏｗｌｅｇｅ／Ｎｏｎ−ＡＣＫｎｏｗｌｅｄｇｅ）は特別に設計される。
【００６９】
具体的には、１つのＤＣＩフォーマットに対応するＤ−ＰＤＣＣＨは、伝送用の２つのコードワード（コードワード０及びコードワード１）を使用し、これら２つのコードワードは、それぞれＡＣＫ／ＮＡＣＫ（ＡＣＫ／ＮＡＣＫ０及びＡＣＫ／ＮＡＣＫ１）に対応することが仮定される。具体的なマッピング方法は、明示的なシグナリング又は黙示的な規則を用いたマッピングによって設定される。マッピング方法は、制御チャネルエレメント（これはＣＣＥ、ＲＢ、又は一対のＲＢであってもよい）数及びアンテナポート番号、又は制御チャネルエレメント数及びコードワード番号を用いて、ＡＣＫ／ＮＡＣＫリソースがマップされるというものである。例えば、ＡＣＫ／ＮＡＣＫ０リソースは、Ｄ−ＰＤＣＣＨのある制御チャネルエレメント数及びアンテナポート番号７（コードワード０に対応する）に対応し、かつＡＣＫ／ＮＡＣＫ１リソースは、Ｄ−ＰＤＣＣＨのある制御チャネルエレメント数及びアンテナポート番号８（コードワード１に対応する）に対応する。（最小のアンテナ数又はＤ−ＰＤＣＣＨの占有するコードワード番号に対応するＡＣＫ／ＮＡＣＫ０等の）一つのＡＣＫ／ＮＡＣＫは、Ｄ−ＰＤＣＣＨによってスケジュールされるＰＤＳＣＨのフィードバックに対応する。つまり、Ｄ−ＰＤＣＣＨの２つのコードワード両方が正しく復号された場合、ＰＤＳＣＨの正しい復号及び誤った復号は、ＡＣＫ／ＮＡＣＫ０のＡＣＫフィードバック及びＮＡＣＫフィードバックにそれぞれ対応し、この場合、ＡＣＫ／ＮＡＣＫ１は伝送されない。別のＡＣＫ／ＮＡＣＫ（ＡＣＫ／ＮＡＣＫ１）は、Ｄ−ＰＤＣＣＨのフィードバックそれ自身に対応する。一つの方法において、Ｄ−ＰＤＣＣＨに対応するコードワード０が正しく復号されたが、コードワード１が誤って復号された場合、ＡＣＫ／ＮＡＣＫ１は、ＡＣＫである。Ｄ−ＰＤＣＣＨに対応するコードワード１が正しく復号されたが、コードワード０が誤って復号された場合、ＡＣＫ／ＮＡＣＫ１は、ＮＡＣＫである。特に、Ｄ−ＰＤＣＣＨの２つのコードワードが共に誤って復号された場合、ＵＥはＡＣＫ／ＮＡＣＫ０及びＡＣＫ／ＮＡＣＫ１のどちらも送信しない。この方法において、Ｄ−ＰＤＣＣＨのコードワードの一部が正しく伝送された場合、誤って伝送された他方のコードワードのみ再送する必要がある。これにより、再送の効率が向上し、Ｄ−ＰＤＣＣＨの性能が向上する。
【００７０】
別の例において、下りリンクスケジューリンググラント（ＤＬ＿ｇｒａｎｔ）及び上りリンクスケジューリンググラント（ＵＬ＿ｇｒａｎｔ）は、例えば、異なるコードワード番号に対応する、異なるアンテナポートの配置情報にそれぞれ対応する。
【００７１】
Ａ、Ｂ、Ｃ及びＤに関連するマッピング関係は、報知信号、ＲＲＣ個別信号、ＭＡＣレイヤの信号、又は物理レイヤの信号によって取得することができることに注意する。ここで、物理レイヤの信号は、ＰＤＣＣＨであってもよい。
【００７２】
図３に示す方法は、ＵＥが、Ｄ−ＰＤＣＣＨに対応するアグリゲーションレベル及び当該アグリゲーションレベルに対応するＤ−ＰＤＣＣＨ候補の検出回数を取得することをさらに含んでもよいことに注意する。このように、ＵＥが、アンテナポートの配置情報に従って、サーチ領域の中のＤ−ＰＤＣＣＨを検出する場合において、当該検出回数に達した場合、検出は停止される。つまり、サーチ領域においてＤ−ＰＤＣＣＨを検出することは、Ｄ−ＰＤＣＣＨに対応する、取得したアグリゲーションレベルに従って、サーチ領域のＤ−ＰＤＣＣＨを検出すること、及び当該アグリゲーションレベルに対応するＤ−ＰＤＣＣＨ候補の検出回数を検出することを含む。
【００７３】
Ｄ−ＰＤＣＣＨのアグリゲーションレベルは、制御チャネルの基本単位を１つ、２つ、４つ、及び８つ含んでもよい。ここで、制御チャネルの基本単位は、ＣＣＥ、ＲＢ、又は一対のＲＢであってもよい。アグリゲーションレベル１、２、４及び８に対応する、Ｄ−ＰＤＣＣＨ候補の検索回数は、それぞれ６、６、２及び２であってもよい。すなわち、既存システムの設定が引き継がれている。或いは、各アンテナポート設定におけるアグリゲーションレベル及びそれに対応するＤ−ＰＤＣＣＨ候補の検出回数についての情報は、ｅＮＢから送信される信号によってＵＥに対して設定してもよい。ここで、信号は、ＲＲＣ個別信号又は（ＰＤＣＣＨといった）物理レイヤの信号であってもよい。
【００７４】
具体的には、ＵＥが、（ポート７などの）アンテナポートを検出する場合、ＵＥは、さらに、異なるアグリゲーションレベルをブラインド検出する必要がある。ＵＥによるブラインド検出の回数が既存システムにおける回数より大きくならないようにするため（例えば、既存システムにおいて、２つのＤＣＩフォーマットを検出する場合、ブラインド検出の総数が３２を超えることはない）、アグリゲーションレベルに対応するＤ−ＰＤＣＣＨ候補の検索の回数及び／又は各アグリゲーションレベルの検索の回数を制限してもよい。ある実施例において、ＵＥは、２つのアンテナポート設定、すなわち、ポート｛７｝及びポート｛８｝を検出する必要がある。この場合、各ＤＣＩフォーマットについて、検出されるアグリゲーションレベルの数は、３に制限される。例えば、少ないペイロードを有するＤＣＩフォーマットについて（例えば、単一のキャリアを運ぶ単一のコードワードで伝送されるスケジュール情報、具体的にはＤＣＩフォーマット０又は１Ａで示される）、ＲＢを単位として用いて、１、２及び４の、３つのアグリゲーションレベルを検出してもよく、各アグリゲーションレベルに対応するＤ−ＰＤＣＣＨ候補の検索の回数は、４、２及び２に制限されてもよい。大きいペイロードを有するＤＣＩフォーマットについて（例えば、複数のキャリアを運ぶ又は複数のコードワードによって伝送されるスケジューリング情報、具体的にはＤＣＩフォーマット２Ｃで示される）、ＲＢを単位として用いて、１、２及び４の、３つのアグリゲーションレベルを検出してもよく、各アグリゲーションレベルに対応するＤ−ＰＤＣＣＨ候補の検索の回数は、４、２及び２に制限されてもよい。従って、ＵＥによるブラインド検出の総数は、２アンテナポート設定＊２ＤＣＩフォーマット＊（４＋２＋２）＝３２であり、これは、既存システムにおけるＵＥによるブラインド検出の回数より大きくない。その他の制限の方法については、限定しない。
【００７５】
別の場合において、特に、Ｄ−ＰＤＣＣＨのペイロードが符号化された後のレートマッチングモジュール（ｒａｔｅ  ｍａｔｃｈｉｎｇ  ｍｏｄｕｌｅ）は循環バッファ（ｃｉｒｃｕｌａｒ  ｂｕｆｆｅｒ）を使用するので、Ｄ−ＰＤＣＣＨのいくつかのペイロードサイズの場合において、当該Ｄ−ＰＤＣＣＨを伝送するために、高いアグリゲーションレベルの制御チャネルが使用され（二つのＲＢのアグリゲーションレベルを例として使用し、Ｄ−ＰＤＣＣＨを形成するＲＢはＲＢ１及びＲＢ２であり、ＡＣＫ／ＮＡＣＫのマッピング規則は第１のＲＢを使用する、すなわち、ＡＣＫ／ＮＡＣＫチャネルが黙示的にＲＢ１に対応していることを仮定する）、かつ１つのＲＢのアグリゲーションレベルのサーチ領域と２つのＲＢのアグリゲーションレベルのサーチ領域とが重なる場合、１つのアグリゲーションレベルのＲＢ２を使用することにより、ＵＥはＤ−ＰＤＣＣＨを正しく検出することができる。しかしながら、この場合において、ＵＥは、黙示的にＲＢ２に対応しているＡＣＫ／ＮＡＣＫチャネルを使用して、ＡＣＫ／ＮＡＣＫをフィードバックし、かつｅＮＢは黙示的にＲＢ１に対応しているＡＣＫ／ＮＡＣＫチャネルにおいて、ＡＣＫ／ＮＡＣＫを検出する。その結果、ＡＣＫ／ＮＡＣＫチャネルの検出誤り及び不一致が発生するかもしれない。拡張可能な場合は、ＵＥが、複数のアンテナポート設定のブラインド検出を行う必要がある場合である。例えば、２つのアンテナポート設定を検出し、具体的には、アンテナポート８及び２つのアンテナポートであるアンテナポート７及びアンテナポート８を検出する。ここで、２つの設定において検出されるリソースが重なっており、例えば、サーチ領域が重なっている。この場合、Ｄ−ＰＤＣＣＨのいくつかの固定されたペイロードサイズの場合において、Ｄ−ＰＤＣＣＨを送信するために、２つのアンテナポート７及び８が使用される場合（ＡＣＫ／ＮＡＣＫは、小さな数であるアンテナポート７に対応すると仮定する）には、単一のアンテナポート８を用いてＤ−ＰＤＣＣＨを検出することにより、ＵＥは、正しくＤ−ＰＤＣＣＨを検出することができ、かつＵＥは、ＡＣＫ／ＮＡＣＫをフィードバックするために、ポート８に対応するＡＣＫ／ＮＡＣＫチャネルを使用する。その一方で、ｅＮＢは、ポート７に対応するＡＣＫ／ＮＡＣＫチャネルにおいてＡＣＫ／ＮＡＣＫを検出する。その結果、ＡＣＫ／ＮＡＣＫチャネルの検出誤り及び不一致が生じる場合がある。
【００７６】
上記課題に対する解決手段は、例えば、Ｄ−ＰＤＣＣＨのペイロードサイズが２４又は２６である場合といったように、Ｄ−ＰＤＣＣＨが特定のペイロードサイズである場合をｅＮＢ及びＵＥが一度検出すると、Ｄ−ＰＤＣＣＨの送信及び受信を実行するために、ｅＮＢ及びＵＥが、Ｄ−ＰＤＣＣＨのペイロードサイズに１ビットを加えるということである。例えば、ペイロードサイズが２５となるように、ペイロードサイズが２４であるＤ−ＰＤＣＣＨに対して１ビットを加え、かつ、ペイロードサイズが２７となるように、ペイロードサイズが２６であるＤ−ＰＤＣＣＨに対して１ビットを加える。これにより、特定のペイロードサイズが生じることを避ける。
【００７７】
上記解決手段において、Ｄ−ＰＤＣＣＨは、ＤＬ＿ｇｒａｎｔである。この解決手段は、Ｄ−ＰＤＣＣＨがＵＬ＿ｇｒａｎｔである場合に対して、同様に拡張することができる。具体的には、ＵＬ＿ｇｒａｎｔの特定の固定されたペイロードサイズに対して、ＰＨＩＣＨ（ＰＨＩＣＨは、ダウンリンクのＡＣＫ／ＮＡＣＫを伝送するために使用される）チャネルの衝突を回避するためにペイロードサイズに対して１ビットをさらに追加する必要がある。これは、ＰＨＩＣＨチャネルリソースが、ＲＢ、一対のＲＢ、又はＵＬ＿ｇｒａｎｔのＤ−ＰＤＣＣＨの占有するアンテナポートとのマッピング関係を有するからである。
【００７８】
特定のペイロードサイズのＤ−ＰＤＣＣＨに対する解決手段は、図３に示される実施例又は上記実施例に対して直接適用することができる。
【００７９】
本発明の実施例により提供される方法によれば、ＵＥはＤ−ＰＤＣＣＨを検出することができ、従って、データ伝送を確実に行うことができる。さらに、既存システムにおける時間−周波数リソースに基づく、ＵＥによるＰＤＣＣＨのブラインド検出は、空間次元、すなわち、アンテナポートに対して拡張される。これにより、リソース利用効率が向上し、Ｄ−ＰＤＣＣＨは空間次元において検出することが可能となる。このように、Ｄ−ＰＤＣＣＨ検出方法が提供され、ＭＵ−ＭＩＭＯにおけるＤ−ＰＤＣＣＨのスケジューリングの柔軟性が向上し、かつＤ−ＰＤＣＣＨの受信性能が向上する。追加的に、ＵＥによるブランド検出の回数が、既存システムにおける検出の回数を超えないようにすることができる。すなわち、ＵＥの実装上の複雑さは増大しない。
【００８０】
本発明の実施例は、さらに、別の情報検出方法を提供する。図４を参照すると、当該方法は基地局側で使用されるものである。そして、以下の内容を含んでもよい。
【００８１】
ステップ４０１：基地局は、Ｄ−ＰＤＣＣＨの占有するアンテナポートの、少なくとも１種類の配置情報をＵＥに対して設定する。
【００８２】
ステップ４０２：基地局は、当該Ｄ−ＰＤＣＣＨのサーチ領域情報を判定する。ここで、サーチ領域は、時間−周波数リソースの中のＤ−ＰＤＣＣＨの少なくとも一つの位置を示す。
【００８３】
ステップ４０３：基地局は、ＵＥに対して設定された、検出されることになるＤ−ＰＤＣＣＨの占有する当該アンテナポートの配置情報の少なくとも１種類に従って、サーチ領域の中のＤ−ＰＤＣＣＨをＵＥに送信する。
【００８４】
基地局は、さらに、アンテナポートの配置情報と第２の情報との間のマッピング関係を取得し、取得したマッピング関係をＵＥに対して設定する。
【００８５】
アンテナポートの配置情報と第２の情報との間のマッピング関係は、以下のマッピング関係のいずれか１つ又はいずれかの組合せを含む：
アンテナポートの配置情報とＤ−ＰＤＣＣＨにより使用されるＤＣＩフォーマットとの間のマッピング関係、
アンテナポートの配置情報とＤ−ＰＤＣＣＨのアグリゲーションレベルとの間のマッピング関係、
アンテナポートの配置情報とＤ−ＰＤＣＣＨの占有するリソースとの間のマッピング関係、及び
アンテナポートの配置情報とＤ−ＰＤＣＣＨの中で運ばれる各キャリアのスケジューリング情報との間のマッピング関係。
【００８６】
アンテナポートの配置情報は１種類であり、かつマッピング関係は１対１又は１対複数のマッピング関係である。或いはアンテナポートの配置情報は２種類であり、かつマッピング関係は複数対１又は複数対複数のマッピング関係である。
【００８７】
上記の方法は、さらに、基地局が、Ｄ−ＰＤＣＣＨに対応するアグリゲーションレベル及び当該アグリゲーションレベルに対応するＤ−ＰＤＣＣＨ候補の検出回数を、ＵＥに対して設定することを含んでもよい。これにより、ＵＥは、当該取得したＤ−ＰＤＣＣＨに対応するアグリゲーションレベル及び当該アグリゲーションレベルに対応するＤ−ＰＤＣＣＨ候補の検出回数に従って、サーチ領域内でＤ−ＰＤＣＣＨを検出する。
【００８８】
本発明の実施例により提供される方法によれば、ＵＥは、Ｄ−ＰＤＣＣＨを検出することが可能であり、従ってデータ伝送を確保することができる。さらに、既存システムにおける時間−周波数リソースに基づく、ＵＥによるＰＤＣＣＨのブラインド検出は、空間次元、すなわちアンテナポートに対して拡張される。これにより、リソースの利用効率が向上し、空間次元においてＤ−ＰＤＣＣＨを検出することが可能になる。このように、Ｄ−ＰＤＣＣＨ検出方法が提供され、ＭＵ−ＭＩＭＯにおけるＤ−ＰＤＣＣＨのスケジューリングの柔軟性が向上し、ＰＤＣＣＨの受信性能が向上する。追加的に、ＵＥによるブランド検出の回数が、既存システムにおける検出の回数を超えないようにすることができる。すなわち、ＵＥの実装上の複雑さは増大しない。
【００８９】
本発明の実施例は、さらに、ユーザ装置を提供する。図５を参照すると、当該ユーザ装置は、具体的には、
基地局側で設定される、Ｄ−ＰＤＣＣＨの占有するアンテナポートの配置情報の少なくとも１種類を取得する取得部５０１；
時間−周波数リソースの中のＤ−ＰＤＣＣＨの少なくとも１つのＤ−ＰＤＣＣＨ候補の検出すべき位置を示す、Ｄ−ＰＤＣＣＨのサーチ領域を決定する決定部５０２；及び
当該アンテナポートの配置情報に従って、当該サーチ領域内でＤ−ＰＤＣＣＨを検出する検出部５０３を備える。
【００９０】
図５に示すユーザ装置において、
取得部５０１は、さらに、アンテナポートの配置情報と第２の情報との間のマッピング関係を取得し、かつ
検出部５０３は、さらに、アンテナポートの配置情報及びマッピング関係に従って、サーチ領域内でＤ−ＰＤＣＣＨを検出する。アンテナポートの配置情報と第２の情報との間のマッピング関係は、以下のマッピング関係のいずれか１つ又はいずれかの組合せを含む：
アンテナポートの配置情報とＤ−ＰＤＣＣＨにより使用されるＤＣＩフォーマットとの間のマッピング関係、
アンテナポートの配置情報とＤ−ＰＤＣＣＨのアグリゲーションレベルとの間のマッピング関係、
アンテナポートの配置情報とＤ−ＰＤＣＣＨの占有するリソースとの間のマッピング関係、及び
アンテナポートの配置情報とＤ−ＰＤＣＣＨ内で運ばれる各キャリアのスケジューリング情報との間のマッピング関係。
【００９１】
アンテナポートの配置情報は１種類であり、かつマッピング関係は１対１又は１対複数のマッピング関係である。或いはアンテナポートの配置情報は２種類であり、かつマッピング関係は複数対１又は複数対複数のマッピング関係である。
【００９２】
アンテナポートの配置情報は、少なくとも、アンテナポート情報、スクランブリングコードＩＤ情報及びアンテナポートに対応するＵＥ固有の参照信号のコードワード情報を含む。
【００９３】
当該アンテナポートの配置情報は、以下のいずれか１つ又はいずれかの組合せをさらに含む：
アンテナポートに対応するＵＥ固有の参照信号の直交拡散符号の長さ、及びアンテナポート情報とコードワード情報との間のマッピング関係。
【００９４】
図５に示すユーザ装置において、
取得部５０１は、さらに、Ｄ−ＰＤＣＣＨに対応するアグリゲーションレベル及び当該アグリゲーションレベルに対応するＤ−ＰＤＣＣＨ候補の検出回数を取得し、かつ
検出部５０３は、さらに、当該取得したＤ−ＰＤＣＣＨに対応するアグリゲーションレベル及び当該アグリゲーションレベルに対応するＤ−ＰＤＣＣＨ候補の検出回数に従って、サーチ領域内でＤ−ＰＤＣＣＨを検出する。
【００９５】
本発明の実施例により提供される方法によれば、ＵＥは、Ｄ−ＰＤＣＣＨを検出することが可能であり、従ってデータ伝送を確保することができる。さらに、既存システムにおける時間−周波数リソースに基づく、ＵＥによるＰＤＣＣＨのブラインド検出は、空間次元、すなわちアンテナポートに対して拡張される。これにより、リソースの利用効率が向上し、空間次元においてＤ−ＰＤＣＣＨを検出することが可能になる。このように、Ｄ−ＰＤＣＣＨ検出方法が提供され、ＭＵ−ＭＩＭＯにおけるＤ−ＰＤＣＣＨのスケジューリングの柔軟性が向上し、ＰＤＣＣＨの受信性能が向上する。追加的に、ＵＥによるブランド検出の回数が、既存システムにおける検出の回数を超えないようにすることができる。すなわち、ＵＥの実装上の複雑さは増大しない。
【００９６】
本発明の実施例は、さらに、基地局を提供する。図６を参照すると、当該基地局は、具体的には、
Ｄ−ＰＤＣＣＨの占有するアンテナポートの配置情報の少なくとも１種類をＵＥに対して設定する設定部６０１；
Ｄ−ＰＤＣＣＨのサーチ領域情報を決定する決定部６０２；及び
ＵＥに対して設定されるＤ−ＰＤＣＣＨの占有する当該アンテナポートの配置情報の少なくとも１種類に従って、サーチ領域の中のＤ−ＰＤＣＣＨをＵＥに送信する送信部６０３を備える。
【００９７】
別の実施例において、設定部７０１、サーチ領域判定部７０２及び送信部７０３に加えて、基地局は、さらに、
アンテナポートの配置情報と第２の情報との間のマッピング関係を取得する取得部７０４を備え、
送信部７０３は、取得したマッピング関係をＵＥに対して設定してもよい。そして、アンテナポートの配置情報と第２の情報との間のマッピング関係は、以下のマッピング関係のいずれか１つ又はいずれかの組合せを含む：
アンテナポートの配置情報とＤ−ＰＤＣＣＨにより使用されるＤＣＩフォーマットとの間のマッピング関係、
アンテナポートの配置情報とＤ−ＰＤＣＣＨのアグリゲーションレベルとの間のマッピング関係、
アンテナポートの配置情報とＤ−ＰＤＣＣＨの占有するリソースとの間のマッピング関係、及び
アンテナポートの配置情報とＤ−ＰＤＣＣＨ内で運ばれる各キャリアのスケジューリング情報との間のマッピング関係。
【００９８】
第１の設定部により設定されるアンテナポートの配置情報は１種類であり、かつ取得部により取得されるマッピング関係は１対１又は１対複数のマッピング関係である。或いは第１の設定部により設定されるアンテナポートの配置情報は２種類であり、かつ取得部により取得されるマッピング関係は複数対１又は複数対複数のマッピング関係である。
【００９９】
図６及び図７の基地局において、
設定部は、さらに、Ｄ−ＰＤＣＣＨに対応するアグリゲーションレベル及び当該アグリゲーションレベルに対応するＤ−ＰＤＣＣＨ候補の検出回数を、ＵＥに対して設定する。これにより、ＵＥは、当該取得したＤ−ＰＤＣＣＨに対応するアグリゲーションレベル及び当該アグリゲーションレベルに対応するＤ−ＰＤＣＣＨ候補の検出回数に従って、サーチ領域内でＤ−ＰＤＣＣＨを検出する。
【０１００】
本発明の実施例により提供される基地局によれば、ＵＥは、Ｄ−ＰＤＣＣＨを検出することが可能であり、従ってデータ伝送が確保される。さらに、既存システムにおける時間−周波数リソースに基づく、ＵＥによるＰＤＣＣＨのブラインド検出は、空間次元、すなわちアンテナポートに対して拡張される。これにより、リソースの利用効率が向上し、空間次元においてＤ−ＰＤＣＣＨを検出することが可能になる。このように、Ｄ−ＰＤＣＣＨ検出方法が提供され、ＭＵ−ＭＩＭＯにおけるＤ−ＰＤＣＣＨのスケジューリングの柔軟性が向上し、ＰＤＣＣＨの受信性能が向上する。追加的に、ＵＥによるブランド検出の回数が、既存システムにおける検出の回数を超えないようにすることができる。すなわち、ＵＥの実装上の複雑さは増大しない。
【０１０１】
ＵＥ端末の実施例及び基地局側の実施例は、手短に説明されている。これは、ＵＥ端末の実施例及び基地局側の実施例が、基本的に、方法の実施例と同様だからである。従って、関連する情報について、方法の実施例の説明の該当部分を参照することができる。
＜実施例２＞
【０１０２】
上記説明から分かるように、既存のＬＴＥシステムにおいて、サブフレームは、ｅＮＢによってスケジュールされる最小の時間単位であり、各サブフレームは２つのタイムスロットを含み、かつ各タイムスロットは、７つのシンボルを含む。サブフレームの中でスケジュールされるＵＥに対して、当該サブフレームは、当該ＵＥの物理下りリンク制御チャネル（ＰＤＣＣＨ）を含む。ＰＤＣＣＨは、インターリーブ処理によって、周波数領域の中のシステム帯域幅全体に分散される。時間領域内で、ＰＤＣＣＨは、サブフレームの先頭のｎシンボルによって運ばれる。ここで、ｎは、（システム帯域幅が１．４ＭＨｚの場合）１、２及び３のうちの１つ、又は２、３及び４のうちの１つである。具体的には、ＰＤＣＣＨは、ＰＣＦＩＣＨ内で運ばれる２ビットにより通知され、ｎシンボルは制御チャネル領域を示す。下りデータチャネルＰＤＳＣＨは、ＰＤＣＣＨによってスケジュールされる場合があり、ＰＤＣＣＨ及びスケジュールされるＰＤＳＣＨは同じサブフレーム内にある。ＰＤＣＣＨは、先頭のいくつかのシンボルを占有し、ＰＤＳＣＨは、その後のいくつかのシンボルを占有する。
【０１０３】
ＵＥが検出を実行する場合において、ＵＥは、まず、物理制御フォーマット指示チャネル（ＰＣＦＩＣＨ、  Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）を検出し、いくつかのシンボルのどれをＰＤＣＣＨが占有しているか決定し、そして当該ＰＤＣＣＨを検出する。それに対応して、ＰＤＣＣＨの中のスケジューリング情報にしたがって、ＰＤＣＣＨによりスケジュールされるＰＤＳＣＨを受信する。従来技術から分かるように、ＰＣＦＩＣＨ検出誤りが生じた場合、ＵＥが、それ自身のＰＤＣＣＨを検出することは不可能となる。逆に、ＵＥがそれ自身のＰＤＣＣＨを検出することができた場合、そのことは、ＰＣＦＩＣＨが確定的に正しく検出されたことを示す。この処理は、ＵＥによるＰＤＣＣＨの検出が、ＰＣＦＩＣＨの検出の検証であることを意味する場合がある。
【０１０４】
ＬＴＥシステムの将来のリリースにおいては、キャリアアグリゲーション、マルチユーザＭＩＭＯ及びＣｏＭＰといった技術が導入されることになる。追加的に、異種ネットワークシナリオ（ｈｅｔｅｒｏｇｅｎｅｏｕｓ  ｎｅｔｗｏｒｋ  ｓｃｅｎａｒｉｏ）が広く適用されることになる。これらは全て、ＰＤＣＣＨの収容能力の限界につながることになる。したがって、プリコーディングのチャネル情報に基づいた、ＰＤＣＣＨが導入されることになる。このＰＤＣＣＨは、ＵＥ固有の参照信号に基づいて復調されることになる。この場合において、ＵＥ固有の参照信号は、専用参照信号（ＤＲＳ）と呼ばれてもよい。従って、ＤＲＳに基づき復調されるＰＤＣＣＨは、以下において、Ｄ−ＰＤＣＣＨと簡略化される。Ｄ−ＰＤＣＣＨリソースは、ＰＤＳＣＨ領域内に位置するので、Ｄ−ＰＤＣＣＨ及びＤ−ＰＤＣＣＨによりスケジュールされるＰＤＳＣＨは、周波数によって分割される。直面する課題は、Ｄ−ＰＤＣＣＨの時間領域の開始シンボル及びＤ−ＰＤＣＣＨによりスケジュールされるＰＤＳＣＨの時間領域の開始シンボルをどのように判定するかということである。
【０１０５】
目下のところ、簡単な実装として、解決手段は、サブフレームの先頭のタイムスロットにおいて、例えば、ＰＣＦＩＣＨの最大値といった、固定された時間領域の開始シンボルに基づいて、ＵＥは、Ｄ−ＰＤＣＣＨを受信し、さらに、制御チャネル領域の後において、Ｄ−ＰＤＣＣＨを受信する。次に、ＵＥは、受信したＤ−ＰＤＣＣＨの中のスケジューリング情報に従って、同じサブフレーム、すなわち、当該Ｄ−ＰＤＣＣＨの位置するサブフレームにおいて、ＰＤＳＣＨを受信する。ＰＤＳＣＨの時間領域の開始シンボルは、ＰＣＦＩＣＨの検出によって取得してもよい。具体的には、ＰＣＦＩＣＨの検出により、制御チャネル領域がｎシンボルであると判定された場合、ＵＥは、ｎ＋１シンボルからＰＤＳＣＨを受信する。問題は、ＰＣＦＩＣＨ検出誤りが生じ、かつＤ−ＰＤＣＣＨが正しく受信された場合、ＵＥはＰＤＳＣＨの開始位置を誤って検出し、ＰＤＳＣＨの検出誤りに帰着するということである。さらに、データの開始位置の誤りのため、その後の再送合成機構によってデータを復元することができず、最終的に物理レイヤにおいてＰＤＳＣＨデータパケットが失われることになる。
【０１０６】
上記技術的課題を考慮して、本発明の実施例２は、ＰＣＦＩＣＨ検出誤りに起因する、ＰＤＳＣＨ開始位置の検出誤りの問題を解決するための情報受信方法を提供する。これにより、システムの伝送効率が向上する。
【０１０７】
ＰＤＳＣＨの受信方法は、
サブフレームの先頭のタイムスロット内で、ＵＥが時間領域の開始シンボルとしてのシンボルｍを用いて、Ｄ−ＰＤＣＣＨを受信すること、及び
ＵＥが、Ｄ−ＰＤＣＣＨ内で運ばれる下りリンクのスケジューリング情報及び時間領域の開始シンボルとしてのシンボルｎを用いることにより、Ｄ−ＰＤＣＣＨによりスケジュールされるＰＤＳＣＨを受信することを含む。
【０１０８】
Ｄ−ＰＤＣＣＨ及びＰＤＳＣＨは、同じキャリア上にある。
【０１０９】
シンボルｍの値は、あらかじめ定められているか、或いは報知信号、ＲＲＣ個別信号、又は物理レイヤの信号によって通知される。ここで、物理レイヤの信号は、ＰＤＣＣＨである。
【０１１０】
１．４ＭＨｚのシステム帯域幅以外のシステム帯域幅に対して、サブフレームの先頭のタイムスロットの中のＤ−ＰＤＣＣＨの時間領域の開始シンボルは、予め定められた４番目のシンボルとすることが好ましい。この仮定に基づき、ＰＣＦＩＣＨの値が１又は２である場合、選択的に、Ｄ−ＰＤＣＣＨの時間領域のリソース位置における２番目及び３番目のシンボルが使用されなくなるか、又は３番目のシンボルが使用されなくなる。この場合、使用されないシンボルは、例えば、ＰＨＩＣＨリソースといった、その他の情報を運んでもよい。
【０１１１】
シンボルｎの値は、あらかじめ定められているか、或いはＲＲＣ個別信号、ＭＡＣレイヤの信号、又は物理レイヤの信号によって通知される。ここで、物理レイヤの信号は、具体的には、Ｄ−ＰＤＣＣＨであるか、又は、例えば、Ｄ−ＰＤＣＣＨ情報を示す他のＰＤＣＣＨといった、別のＰＤＣＣＨである。
【０１１２】
選択的に、Ｄ−ＰＤＣＣＨによりスケジュールされるＰＤＳＣＨの時間領域の開始シンボルを通知するために、Ｄ−ＰＤＣＣＨの中のビット又はＣＲＣマスクが使用される。例えば、２ビットによって、ＰＤＳＣＨが２番目のシンボル、３番目のシンボル又は４番目のシンボルから開始されることを示すことができる。
【０１１３】
選択的に、Ｄ−ＰＤＣＣＨによりスケジュールされるＰＤＳＣＨの時間領域の開始シンボルを設定するために、ＲＲＣ個別信号が使用される。
【０１１４】
選択的に、Ｄ−ＰＤＣＣＨによりスケジュールされるＰＤＳＣＨの時間領域の開始シンボルを通知するために、第１レベルのＰＤＣＣＨ（ｆｉｒｓｔ−ｌｅｖｅｌ  ＰＤＣＣＨ）が使用される。第１レベルのＰＤＣＣＨは、Ｄ−ＰＤＣＣＨのリソースといった情報を通知するために用いられる。
【０１１５】
具体例は以下の通りである。
【０１１６】
下りリンクのシステム帯域幅が１．４ＭＨｚでないと仮定して、制御チャネル領域は、最大で３シンボルを占有する。簡単な実装の場合、Ｄ−ＰＤＣＣＨの開始の時間領域シンボルは、予め定められた４番目のシンボルであってもよく、或いは報知信号、ＲＲＣ信号、ＭＡＣレイヤの信号又は（ＰＤＣＣＨといった）物理レイヤの信号によって設定されてもよい。従って、ＵＥは、Ｄ−ＰＤＣＣＨの開始のシンボルに従ってＤ−ＰＤＣＣＨを受信し、かつＤ−ＰＤＣＣＨ内で運ばれる下りリンクのスケジューリング情報に従って、Ｄ−ＰＤＣＣＨによりスケジュールされるＰＤＳＣＨを受信する。ＰＤＳＣＨを受信する場合、ＰＣＦＩＣＨ検出誤りに起因する影響を回避するために、ＵＥは、ＰＣＦＩＣＨの検出により取得した制御チャネル領域のシンボルの数量によっては、ＰＤＳＣＨの時間領域の開始のシンボルを決定することはできない。そうではなくて、ＵＥは、（４番目のシンボルといった）予め定められたＰＤＳＣＨの開始のシンボル、或いは報知信号、ＲＲＣ信号、ＭＡＣレイヤの信号、又は（Ｄ−ＰＤＣＣＨを示す他のＰＤＣＣＨ、又はＤ−ＰＤＣＣＨといった）物理レイヤの信号により通知されるＰＤＳＣＨの開始のシンボルによってＰＤＳＣＨを受信する。
【０１１７】
上記の情報受信方法によれば、ＰＣＦＩＣＨ検出誤りによって、ＰＤＳＣＨの開始の位置が誤って検出されるという問題は解決され、そしてシステムの伝送効率は向上する。
【０１１８】
本出願の実施例は、さらに、ＰＤＳＣＨの送信方法であって、
ＵＥが、Ｄ−ＰＤＣＣＨにより運ばれる下りリンクのスケジューリング情報に従って、Ｄ−ＰＤＣＣＨによりスケジュールされるＰＤＳＣＨを受信できるようにするために、
ｅＮＢが、サブフレームの先頭のタイムスロット内で、時間領域の開始シンボルとしてのシンボルｍを用いて、Ｄ−ＰＤＣＣＨをＵＥに送信することを含む送信方法を提供する。
【０１１９】
ＰＤＳＣＨの時間領域の開始シンボルの情報は、さらに、ｅＮＢにより送信される、報知信号、ＲＲＣ信号、ＭＡＣレイヤの信号、又は（Ｄ−ＰＤＣＣＨ情報を示す他のＰＤＣＣＨといった）物理レイヤの信号によって、ＵＥに通知されてもよい。
【０１２０】
上記の情報送信方法によれば、ＰＣＦＩＣＨ検出誤りによって、ＰＤＳＣＨの開始の位置が誤って検出されるという問題は解決され、そしてシステムの伝送効率は向上する。
＜実施例３＞
【０１２１】
Ｄ−ＰＤＣＣＨは、アグリゲーションレベルの基本単位として、ＲＢを使用する。従って、周波数領域の観点において、サブフレームの中の１４シンボルは、一対のＲＢとなる。一対のＲＢの中の２つのタイムスロットの２つのＲＢそれぞれにより占有される時間領域のシンボルの数量は、７である。しかしながら、制御領域により占有されるシンボルの数量を先頭のタイムスロットから減算すると、Ｄ−ＰＤＣＣＨを伝送することが可能な残りのシンボルの数量は７より小さくなる。制御領域が３つのシンボルを占有する場合、先頭のタイムスロットの中の４つのシンボルだけを、Ｄ−ＰＤＣＣＨを伝送するために使用することができる。従って、後半のタイムスロットの中の７シンボルと比較して、各ＲＢ内で伝送されるＤ−ＰＤＣＣＨ情報は等しくなっていない。
【０１２２】
上記の技術的な問題に基づき、本発明の実施例は、一対のＲＢの中の２つのタイムスロットの中のシンボルの数量が等しくないという問題を解決し、かつＤ−ＰＤＣＣＨの性能を均等にする、制御情報の伝送方法を提供する。
【０１２３】
制御情報の伝送方法は、具体的には、サブフレーム内で、ｅＮＢが、一対のＲＢの中の２つのＲＢの上で、２つのＤ−ＰＤＣＣＨを、１つ又は２つのＵＥに送信することを含む。ここで、サブフレームの後半のタイムスロット内で、一方のＤ−ＰＤＣＣＨは、６シンボルを占有し、そして、サブフレームの前半のタイムスロット内で、もう一方のＤ−ＰＤＣＣＨは、４シンボル又はｎを制御領域が占有するシンボルの数量として７−ｎシンボルを占有する。
【０１２４】
本発明の実施例は、制御情報の受信方法であって、具体的には、サブフレーム内で、ＵＥが、一対のＲＢの中の２つのＲＢの上で、ｅＮＢの送信するＤ−ＰＤＣＣＨを受信することを含む制御情報の受信方法を提供する。ここで、サブフレームの後半のタイムスロットの中の６シンボルは、Ｄ−ＰＤＣＣＨを検出する単位として使用され、そして、サブフレームの前半のタイムスロットの中の４シンボル又はｎを制御領域が占有するシンボルの数量として７−ｎシンボルは、Ｄ−ＰＤＣＣＨを検出する単位として使用される。
【０１２５】
上記の送信方法及び受信方法によれば、Ｄ−ＰＤＣＣＨ送信において、一対のＲＢの中の２つのタイムスロットの中のシンボルの数量が等しくないという問題が解決され、かつＤ−ＰＤＣＣＨの性能が均等化される。
＜実施例４＞
【０１２６】
背景：
既存のリリースのＬＴＥシステムにおいて、物理下りリンク制御チャネル（ＰＤＣＣＨ、  Ｐｈｙｓｉｃａｌ  Ｄｏｗｎｌｉｎｋ  Ｃｏｎｔｒｏｌ  Ｃｈａｎｎｅｌ）は、上りリンクの制御情報及び下りリンクのデータチャネルを運ぶ。具体的には、下りリンクのデータチャネルをスケジュールするＰＤＣＣＨは、下りリンクスケジューリンググラント（ＤＬ＿ｇｒａｎｔ、  Ｄｏｗｎｌｉｎｋ＿ｇｒａｎｔ）と呼ばれ、そして、上りリンクのデータチャネルをスケジュールするＰＤＣＣＨは、上りリンクスケジューリンググラント（ＵＬ＿ｇｒａｎｔ、  Ｕｐｌｉｎｋ＿ｇｒａｎｔ）と呼ばれる。ＰＤＣＣＨは、例えばＤＣＩフォーマット０、１Ａ、１、２、２Ａ、２Ｃ及び４といった、多くの下りリンクの制御情報（ＤＣＩ、  Ｄｏｗｎｌｉｎｋ  Ｃｏｎｔｒｏｌ  Ｉｎｆｏｒｍａｔｉｏｎ）フォーマットを有する。ＤＣＩフォーマット０及び４に対応するＰＤＣＣＨは、上りリンクスケジューリンググラントであり、そして、その他のいくつかのＤＣＩフォーマットに対応するＰＤＣＣＨは、下りリンクスケジューリンググラントである。異なるＤＣＩフォーマットは、異なるペイロードサイズ（ｐａｙｌｏａｄ  ｓｉｚｅ）を有する場合がある。ＰＤＣＣＨのペイロードは、情報ビット、パディングビット、巡回冗長検査（ＣＲＣ、  Ｃｙｃｌｉｃ  Ｒｅｄｕｎｄａｎｃｙ  Ｃｈｅｃｋ）ビットを含む。ここで、情報ビットは、ＤＣＩの中の具体的な制御情報ビットのフィールドであり、具体的には、キャリア帯域幅及び双方向通信方式（ｄｕｐｌｅｘ  ｍｏｄｅ）に関連する。ペイロードに含まれるビット全体の数量は、ペイロードサイズである。異なるＤＣＩフォーマットのペイロードサイズが同じとなる場合もある。例えば、ＤＣＩフォーマット０及び１Ａは、２つのＤＣＩフォーマットそれぞれに含まれるヘッダービットで識別される。１つのＤＣＩフォーマットの中の情報ビットの数量が、他のＤＣＩフォーマットのそれよりも小さい場合、２つのＤＣＩフォーマットのペイロードサイズが等しくなるように、小さい方のＤＣＩフォーマット内にビットを埋め込む必要がある。
【０１２７】
進化版のリリースに対応するＬＴＥシステムにおいて、上りリンクの間欠送信機構が導入されている。この新しい機能に対応するために、どのように上りリンクのＤＣＩフォーマットを設計するかということが、本発明の解決すべき課題である。
【０１２８】
実施例４の具体的な実施方法：
実施方法１
制御信号の伝送方法であって、具体的には、
ネットワーク側の装置が、上りリンクの帯域幅及び下りリンクの帯域幅、システムの双方向通信方式、及びＵＥに対して設定される下りリンクのキャリアの数量により、ＵＥのＤＣＩフォーマット０が、リソース割当種別表示ビット（ｒｅｓｏｕｒｃｅ  ａｌｌｏｃａｔｉｏｎ  ｔｙｐｅ  ｉｎｄｉｃａｔｏｒ  ｂｉｔ）を含むことを判定すること、及び
ユーザ装置（ＵＥ、  Ｕｓｅｒ  Ｅｑｕｉｐｍｅｎｔ）が、ＤＣＩフォーマット０の中のリソース割当種別表示ビットの値に従って、上りリンクのデータチャネルのリソース割当の種別を判定できるように、ネットワーク側の装置が、ＤＣＩフォーマット０に対応するＰＤＣＣＨをユーザ装置（ＵＥ、  Ｕｓｅｒ  Ｅｑｕｉｐｍｅｎｔ）に送信することを含む。
【０１２９】
上りリンクの帯域幅が下りリンクの帯域幅に等しく、システムの双方向通信方式が周波数分割デュプレックス（ＦＤＤ、  Ｆｒｅｑｕｅｎｃｙ  Ｄｉｖｉｓｉｏｎ  Ｄｕｐｌｅｘｉｎｇ）であり、かつＵＥに対して設定される下りリンクのキャリアの数量は１である。言い換えれば、上りリンクの帯域幅が下りリンクの帯域幅に等しく、かつシステムの双方向通信方式がＦＤＤである場合において、ＵＥに対して設定される下りリンクのキャリアの数量が１より大きい場合、ＵＥのＤＣＩフォーマット０は、リソース割当種別表示ビットを含まない。
【０１３０】
制御情報の受信方法であって、具体的には、
ユーザ装置（ＵＥ、  Ｕｓｅｒ  Ｅｑｕｉｐｍｅｎｔ）が、上りリンクの帯域幅及び下りリンクの帯域幅、システムの双方向通信方式、及びＵＥに対して設定される下りリンクのキャリアの数量によって、ＵＥのＤＣＩフォーマット０が、リソース割当種別表示ビットを含むことを判定すること、及び
ＵＥが、ＤＣＩフォーマット０に対応するＰＤＣＣＨを検出すること及びＤＣＩフォーマット０の中のリソース割当識別ビットの値により、上りリンクのデータチャネルのリソース割当種別を判定することを含む。
【０１３１】
上りリンクの帯域幅が下りリンクの帯域幅に等しく、システムの双方向通信方式が周波数分割デュプレックス（ＦＤＤ、  Ｆｒｅｑｕｅｎｃｙ  Ｄｉｖｉｓｉｏｎ  Ｄｕｐｌｅｘｉｎｇ）であり、かつＵＥに対して設定される下りリンクのキャリアの数量は１である。言い換えれば、上りリンクの帯域幅が下りリンクの帯域幅に等しく、かつシステムの双方向通信方式がＦＤＤである場合において、ＵＥに対して設定される下りリンクのキャリアの数量が１より大きい場合、ＵＥのＤＣＩフォーマット０は、リソース割当種別表示ビットを含まない。
【０１３２】
ネットワーク側の装置は、具体的には、
当該ネットワーク側の装置が、上りリンクの帯域幅及び下りリンクの帯域幅、システムの双方向通信方式、及びＵＥに対して設定される下りリンクのキャリアの数量により、ＵＥのＤＣＩフォーマット０がリソース割当種別表示ビットを含むことを判定するための判定モジュール；及び
当該ネットワーク側の装置が、ＤＣＩフォーマット０に対応するＰＤＣＣＨを、ユーザ装置（ＵＥ、  Ｕｓｅｒ  Ｅｑｕｉｐｍｅｎｔ）に送信するための送信モジュールを備える。
【０１３３】
上りリンクの帯域幅が下りリンクの帯域幅に等しく、システムの双方向通信方式が周波数分割デュプレックス（ＦＤＤ、  Ｆｒｅｑｕｅｎｃｙ  Ｄｉｖｉｓｉｏｎ  Ｄｕｐｌｅｘｉｎｇ）であり、かつＵＥに対して設定される下りリンクのキャリアの数量は１である。言い換えれば、上りリンクの帯域幅が下りリンクの帯域幅に等しく、かつシステムの双方向通信方式がＦＤＤである場合において、ＵＥに対して設定される下りリンクのキャリアの数量が１より大きい場合、ＵＥのＤＣＩフォーマット０は、リソース割当種別表示ビットを含まない。
【０１３４】
ＵＥは、具体的には、
当該ＵＥが、上りリンクの帯域幅及び下りリンクの帯域幅、システムの双方向通信方式、及びＵＥに対して設定される下りリンクのキャリアの数量により、ＵＥのＤＣＩフォーマット０が、リソース割当種別表示ビットを含むことを判定するための判定モジュール；及び
当該ＵＥがＤＣＩフォーマット０に対応するＰＤＣＣＨを検出するための検出モジュールを含む。
【０１３５】
上りリンクの帯域幅が下りリンクの帯域幅に等しく、システムの双方向通信方式が周波数分割デュプレックス（ＦＤＤ、  Ｆｒｅｑｕｅｎｃｙ  Ｄｉｖｉｓｉｏｎ  Ｄｕｐｌｅｘｉｎｇ）であり、かつＵＥに対して設定される下りリンクのキャリアの数量は１である。言い換えれば、上りリンクの帯域幅が下りリンクの帯域幅に等しく、かつシステムの双方向通信方式がＦＤＤである場合において、ＵＥに対して設定される下りリンクのキャリアの数量が１より大きい場合、ＵＥのＤＣＩフォーマット０は、リソース割当種別表示ビットを含まない。
【０１３６】
具体的には、ＦＤＤシステムにおいて、上りリンクの帯域幅が下りリンクの帯域幅に等しく、かつＵＥに対して設定される下りリンクのキャリアの数量が１である場合、ＤＣＩフォーマット０の中の（リソース割当種別表示ビット以外の）情報ビットの数量は１であり、ＤＣＩフォーマット１Ａの中の情報ビットの数量より少ない。リソース割当種別表示ビットを考慮しない場合、２つのＤＣＩフォーマットの最終的なペイロードサイズを等しくするために、ＤＣＩフォーマット０内にビットを埋め込む必要がある。従って、ＤＣＩフォーマット０は、リソース割当種別表示ビットを含んでもよい。この場合、ＤＣＩフォーマット０のペイロードサイズは、リソース割当種別表示ビットが含まれない上記の状況のものと同じである。これは、リソース割当種別表示ビットがパディングビットの役割を果たすことを意味する。従って、実装は簡単であり、そしてリソース割当種別表示ビットの導入は、ＤＣＩフォーマット０及び１Ａのペイロードサイズを変更させるものではない。逆に、ＦＤＤシステムにおいて、上りリンクの帯域幅が下りリンクの帯域幅に等しく、かつＵＥに対して設定される下りリンクのキャリアの数量が１より大きい場合、非周期的チャネル状態情報トリガービット（ａｐｅｒｉｏｄｉｃ  ｃｈａｎｎｅｌ  ｓｔａｔｅ  ｉｎｆｏｒｍａｔｉｏｎ  ｔｒｉｇｇｅｒ  ｂｉｔ）がＤＣＩフォーマット０に対して加えられる。従って、ＤＣＩフォーマット０の中の情報ビットの数量は、ＤＣＩフォーマット１Ａの中の情報ビットの数量と等しくなる。この時、リソース割当種別表示ビットがＤＣＩフォーマット０に加えられると、ＤＣＩフォーマット１Ａに対してビットの埋め込みを行うことが必要となる。従って、２つのＤＣＩフォーマットの最終的なペイロードサイズは、リソース割当種別表示ビットが加えられる前のそれらと比較して変更され、実装が複雑になる。従って、この場合、ＤＣＩフォーマット０は、リソース割当種別表示ビットを含まない。
【０１３７】
具体的には、例えば、ＦＤＤシステムにおいて、上りリンクの帯域幅及び下りリンクの帯域幅の双方が２０ＭＨｚであると仮定して、ＵＥに対して設定される下りリンクのキャリアの数量が１である場合に、ＤＣＩフォーマット０の情報ビットの数量が２７であり、かつＤＣＩフォーマット１Ａの情報ビットの数量が２８であったとして、リソース割当種別表示ビットの追加を考慮しないのであれば、２つのＤＣＩフォーマットの最終的なペイロードサイズが同じになるように、ＤＣＩフォーマット０にビットを埋め込む必要がある。従って、リソース割当種別表示ビットが追加されるのであれば、それはパディングビットの役割を果たすことを意味し、リソース割当種別表示ビットが追加される前と比較して、２つのＤＣＩフォーマットの最終的なペイロードサイズは変化しないので、実装は簡単になる。ＵＥに対して割り当てられる下りリンクのキャリアの数量が１より大きい場合、ＤＣＩフォーマット０の中の情報ビットの数量は２８であり、下りリンクのキャリアが１つの場合より、１つだけ多くの非周期的チャネル状態情報トリガービットを含み、そして、ＤＣＩフォーマット１Ａの中の情報ビットの数量は２８のままである。リソース割当種別表示ビットの追加を考慮しないのであれば、どちらのＤＣＩフォーマットに対しても、ビットの埋め込みは必要ではなく、２つのＤＣＩフォーマットの最終的なペイロードサイズは等しくなる。この場合、ＤＣＩフォーマット０に対してリソース種別表示ビットを追加すると、ＤＣＩフォーマット０の中の情報ビットの数量は２９に変更され、これに対応して、ＤＣＩフォーマット１Ａの中へのビットの埋め込みを行うことが必要となる。従って、ソース割当種別表示ビットが追加される前と比較して、２つのＤＣＩフォーマットの最終的なペイロードサイズは、変化するので、実装は複雑になる。従って、この場合、ＤＣＩフォーマット０は、リソース割当種別表示ビットを含まない。
【０１３８】
上記の解決手段は、ＤＣＩフォーマット０にリソース割当種別表示ビットが追加された後に、ＤＣＩフォーマット０のペイロードサイズが変わらないようにするので、この解決手段を実装するのは容易である。
【０１３９】
実施方法２
制御信号を伝送する方法であって、具体的には、
上りリンクの帯域幅、下りリンクの帯域幅及びシステムの双方向通信方式により、ネットワーク側装置が、ＤＣＩフォーマット０の中のリソース割当種別表示ビット以外の情報ビットを決定すること；
ネットワーク側装置がビット数量を要素として用いて集合｛１２、１４、１６、２０、２４、２６、３２、４０、４４、５６｝を決定すること；
ＤＣＩフォーマット０の中のリソース割当種別表示ビット以外の情報ビットの全体の数量が、集合の中のいずれかのビット数量に等しい場合に、ネットワーク側装置が、ＤＣＩフォーマット０にリソース割当種別表示ビットを含めると決定すること；及び
ユーザ装置（ＵＥ、  Ｕｓｅｒ  Ｅｑｕｉｐｍｅｎｔ）が、ＤＣＩフォーマット０の中のリソース割当種別表示ビットの値によって、上りリンクのデータチャネルのリソース割当種別を判定することができるように、ネットワーク側装置が、ＤＣＩフォーマット０に対応するＰＤＣＣＨを、ユーザ装置（ＵＥ、  Ｕｓｅｒ  Ｅｑｕｉｐｍｅｎｔ）に送信することを含む。
【０１４０】
上記方法は、さらに
上りリンクの帯域幅が下りリンクの帯域幅に等しく、システムの双方向通信方式がＦＤＤであり、かつＵＥに設定される下りリンクのキャリアの数量が１より大きい場合において、
ＤＣＩフォーマット０の中のリソース割当種別表示ビット以外の情報ビットの全体の数量が集合の中のいずれかのビット数量に等しい場合に、ＤＣＩフォーマット０にリソース割当種別表示ビットを含めること、及び
ＤＣＩフォーマット０の中のリソース割当種別表示ビット以外の情報ビットの全体の数量が集合の中のいずれのビット数量にも等しくない場合に、ＤＣＩフォーマット０にリソース割当種別表示ビットを含めないこと
を含む。
【０１４１】
制御信号の受信方法であって、具体的には、
上りリンクの帯域幅、下りリンクの帯域幅及びシステムの双方向通信方式によって、ＵＥが、ＤＣＩフォーマット０の中のリソース割当種別表示ビット以外の情報ビットを決定すること；
ＵＥが、ビット数量を要素として用いて、集合｛１２、１４、１６、２０、２４、２６、３２、４０、４４、５６｝を決定すること；
ＤＣＩフォーマット０の中のリソース割当種別表示ビット以外の情報ビットの全体の数量が、集合の中のいずれかのビット数量に等しい場合に、ＵＥが、ＤＣＩフォーマット０はリソース割当種別表示ビットを含むと判定すること；及び
ＵＥが、ＤＣＩフォーマット０に対応するＰＤＣＣＨを検出すること及びＤＣＩフォーマット０の中のリソース割当種別表示ビットの値によって、上りリンクのデータチャネルのリソース割当種別を判定すること
を含む。
【０１４２】
上記方法は、さらに、
上りリンクの帯域幅が下りリンクの帯域幅に等しく、システムの双方向通信方式がＦＤＤであり、かつＵＥに割り当てられる下りリンクのキャリアの数量が１より大きい場合において、
ＤＣＩフォーマット０の中のリソース割当種別表示ビット以外の情報ビットの全体の数量が集合の中のいずれかのビット数量に等しい場合に、ＤＣＩフォーマット０にリソース割当種別表示ビットを含めること及び
ＤＣＩフォーマット０の中のリソース割当種別表示ビット以外の情報ビットの全体の数量が集合の中のいずれのビット数量にも等しくない場合に、ＤＣＩフォーマット０にリソース割当種別表示ビットを含めないこと
を含む。
【０１４３】
ネットワーク側装置は、具体的には、
上りリンクの帯域幅、下りリンクの帯域幅及びシステムの双方向通信方式により、ネットワーク側装置が、ＤＣＩフォーマット０の中のリソース割当種別表示ビット以外の情報ビットを決定するための第１の決定モジュール；
ネットワーク側装置がビット数量を要素として用いて集合｛１２、１４、１６、２０、２４、２６、３２、４０、４４、５６｝を決定するための第２の決定モジュール；
ＤＣＩフォーマット０の中のリソース割当種別表示ビット以外の情報ビット全体の数量が、セットの中のいずれかのビット数量に等しいことを示す情報により、ネットワーク側装置が、ＤＣＩフォーマット０はリソース割当種別表示ビットを含むと判定するための判定モジュール；及び
ネットワーク側装置が、ＤＣＩフォーマット０に対応するＰＤＣＣＨを、ユーザ装置（ＵＥ、  Ｕｓｅｒ  Ｅｑｕｉｐｍｅｎｔ）に送信するための送信モジュール
を備える。
【０１４４】
上記方法は、さらに、
上りリンクの帯域幅が下りリンクの帯域幅に等しく、システムの双方向通信方式がＦＤＤであり、かつＵＥに設定される下りリンクのキャリアの数量が１より大きい場合において、
ＤＣＩフォーマット０の中のリソース割当種別表示ビット以外の情報ビットの全体の数量が集合の中のいずれかのビット数量に等しい場合に、ＤＣＩフォーマット０にリソース割当種別表示ビットを含めること及び
ＤＣＩフォーマット０の中のリソース割当種別表示ビット以外の情報ビットの全体の数量が集合の中のいずれのビット数量にも等しくない場合に、ＤＣＩフォーマット０にリソース割当種別表示ビットを含めないこと
を含む。
【０１４５】
ＵＥは、具体的には、
上りリンクの帯域幅、下りリンクの帯域幅及びシステムの双方向通信方式により、ＵＥが、ＤＣＩフォーマット０の中のリソース割当種別表示ビット以外の情報ビットを決定するための第１の決定モジュール；
ＵＥが、ビット数量を要素として用いて、集合｛１２、１４、１６、２０、２４、２６、３２、４０、４４、５６｝を決定するための第２の決定モジュール；
ＤＣＩフォーマット０の中のリソース割当種別表示ビット以外の情報ビット全体の数量が、セットの中のいずれかのビット数量に等しいことを示す情報により、ＵＥが、ＤＣＩフォーマット０はリソース割当種別表示ビットを含むと判定するための判定部；及び
ＵＥが、ＤＣＩフォーマット０に対応するＰＤＣＣＨを検出するための検出モジュール
を備える。
【０１４６】
上記方法は、さらに、
上りリンクの帯域幅が下りリンクの帯域幅に等しく、システムの双方向通信方式がＦＤＤであり、かつＵＥに設定される下りリンクのキャリアの数量が１より大きい場合において、
ＤＣＩフォーマット０の中のリソース割当種別表示ビット以外の情報ビットの全体の数量が集合の中のいずれかのビット数量に等しい場合に、ＤＣＩフォーマット０にリソース割当種別表示ビットを含めること及び
ＤＣＩフォーマット０の中のリソース割当種別表示ビット以外の情報ビットの全体の数量が集合の中のいずれのビット数量にも等しくない場合に、ＤＣＩフォーマット０にリソース割当種別表示ビットを含めないこと
を含む。
【０１４７】
ネットワーク側装置は、基地局であってもよい。
【０１４８】
双方向通信方式は、周波数分割デュプレックス（ＦＤＤ、  Ｆｒｅｑｕｅｎｃｙ  Ｄｉｖｉｓｉｏｎ  Ｄｕｐｌｅｘｉｎｇ）又は時間分割デュプレックス（ＴＤＤ、  Ｔｉｍｅ  Ｄｉｖｉｓｏｎ  Ｄｕｐｌｅｘｉｎｇ）であってもよく、双方向通信方式は、ＤＣＩフォーマットの中の情報ビットに影響を与える。例えば、ＴＤＤ方式におけるＤＣＩフォーマットは、ＦＤＤ方式の場合よりも、下りリンク割当インデックス（ＤＡＩ、  Ｄｏｗｎｌｉｎｋ  Ａｓｓｉｇｎｍｅｎｔ  Ｉｎｄｅｘ）情報ビットを２つ多く含んでいる。或いは、ＴＤＤ方式における下りリンクスケジューリンググラントのＤＣＩフォーマットは、ＦＤＤ方式の場合よりも、ハイブリッドＡＲＱ（ＨＡＲＱ、  Ｈｙｂｒｉｄ  Ａｕｔｏｍａｔｉｃ  Ｒｅｐｅａｔ  Ｒｅｑｕｅｓｔ）処理数の情報ビットを１つ多く含んでいる。基地局は、報知信号によって、システムの双方向通信方式をＵＥに通知する。
【０１４９】
また、上りリンクの帯域幅は、上りリンクスケジューリンググラントに対応するＤＣＩフォーマットの中の情報ビットに影響を与える。具体的には、上りリンクの帯域幅は、上りリンクスケジューリンググラントに対応するＤＣＩフォーマットの中のリソース割当ビットフィールドのサイズに影響を与える。一般的に、帯域幅が大きいと、より多くのビットがリソースに対して割り当てられる。基地局は、報知信号によって、システムの帯域幅の情報をＵＥに通知する。
【０１５０】
さらに、非周期的サウンディング参照信号（ＡＳＲＳ、  Ａｐｅｒｉｏｄｉｃ  Ｓｏｕｎｄｉｎｇ  Ｒｅｆｅｒｅｎｃｅ  Ｓｉｇｎａｌ）の配置情報は、ＤＣＩフォーマット０及び１Ａの情報ビットに影響を与える。ＡＳＲＳ信号が、基地局の無線リソース制御（ＲＲＣ、  Ｒａｄｉｏ  Ｒｅｓｏｕｒｃｅ  Ｃｏｎｔｒｏｌ）信号によって設定される場合、ＤＣＩフォーマット０及び１Ａのどちらの中にも、ＡＳＲＳトリガービットが存在する。ＡＳＲＳ信号が設定されない場合、２つのＤＣＩフォーマット内には、当該ビットは存在しない。
【０１５１】
さらに、キャリアアグリゲーション（ＣＡ、  Ｃａｒｒｉｅｒ  Ａｇｇｒｅｇａｔｉｏｎ）の場合、すなわち、基地局が複数のキャリアをＵＥに対して設定可能な場合、
ＲＲＣ信号によってＵＥに対して設定される下りリンクのキャリアの数量は、ＤＣＩフォーマット０の情報ビットに影響を与える。具体的には、ＵＥに対して下りリンクのＣＡが設定されない場合、つまり、下りリンクのキャリアがただ１つだけ存在する場合、ＤＣＩフォーマット０の中の非周期的チャネル状態トリガービットは１つである。そして、ＵＥに対して下りリンクのＣＡが設定される場合、つまり、下りリンクのキャリアが少なくとも２つ存在する場合、ＤＣＩフォーマット０の中の非周期的チャネル状態トリガービットは２つである。
【０１５２】
ＤＣＩフォーマット０の中の、その他のビットフィールドのサイズは、上りリンクの帯域幅、双方向通信方式、さらに、非周期的サウンディング参照信号の配置情報、及びＵＥに対して設定される下りリンクのキャリアの数量には依存しない。従って、基地局及びＵＥは、上りリンクの帯域幅、双方向通信方式、さらに、非周期的サウンディング参照信号の配置情報、及びＵＥに対して設定される下りリンクのキャリアの数量によって、ＤＣＩフォーマット０の中のリソース割当種別表示ビット以外の全ての情報ビットを決定することができる。
【０１５３】
リソース割当種別表示ビットが存在するか否かに関して、情報ビットの導入により、ＤＣＩフォーマット０のペイロードサイズは変更されないことが想定されるため、ＤＣＩフォーマット０の中にパディングビットがある場合、リソース割当種別表示ビットを追加することを考慮してもよい。ＤＣＩフォーマット０の中の情報ビットの数量がＤＣＩフォーマット１Ａの中の情報ビットの数量よりも少ない場合、２つのＤＣＩフォーマットの最終的なペイロードサイズを等しくするため、ＤＣＩフォーマット０の中にビットを埋め込む必要がある。この場合において、ＤＣＩフォーマット０に対してリソース割当種別表示ビットを追加してもよく、この場合、ＤＣＩフォーマット０の最終的なペイロードサイズは変更されない。
【０１５４】
次に、基地局及びＵＥは、ビット数量を要素として使用して、集合｛１２、１４、１６、２０、２４、２６、３２、４０、４４、５６｝を決定する。その後、ＤＣＩフォーマット０の中のリソース割当種別表示ビット以外の情報ビットの全体の数量が集合の中のいずれかのビット数量に等しい場合、基地局及びＵＥは、ＤＣＩフォーマット０がリソース割当種別表示ビットを含むと判定する。上記の判定条件は、さらに３つの場合を含むことがある。第１の場合は、ＤＣＩフォーマット０の中のリソース割当種別表示ビット以外の情報ビットの全体の数量が、ＤＣＩフォーマット１Ａの中の情報ビットの全体の数量より少なく、ＤＣＩフォーマット０及びＤＣＩフォーマット１Ａの最終的なペイロードサイズを等しくするために、ＤＣＩフォーマット０に対するパディングが必要となる場合である。従って、この場合において、リソース割当種別表示ビットが追加されてもよい。第２の場合は、ＤＣＩフォーマット０の中のリソース割当種別表示ビット以外の情報ビットの全体の数量が、ＤＣＩフォーマット１Ａの中の情報ビットの全体の数量と等しい場合である。一般的に、どちらのＤＣＩフォーマットにおいても、ビットの埋め込みは必要ではない。しかしながら、この場合において、情報ビットの全体の数量が、集合の中のいずれかのビット数量である場合、その集合の中のビット数量を避けるために、下りリンクスケジューリンググラントに対応するＤＣＩフォーマット１Ａの中にビットを埋め込む必要がある。この回避を行わなかった場合、ＤＣＩフォーマット１Ａは、違ったアグリゲーションレベルを用いて正しく検出されてしまう可能性があるためである。例えば、ｅＮＢは、ＤＣＩフォーマット１Ａに対応する下りリンクスケジューリンググラントをスケジュールするために、ＵＥに対してアグリゲーションレベル２を使用する。ＵＥは、アグリゲーションレベル１を用いて、ＤＣＩフォーマット１を正しく検出できる場合がある。その結果、下りリンクのデータパケットに対応する上りリンクのＨＡＲＱの受信確認情報のチャネル衝突が発生し得る。上りリンクスケジューリンググラントのＤＣＩフォーマットの中の情報ビットの数量が集合の中のいずれかのビット数量に等しい場合、回避は必要ではない。上りリンクのデータスケジューリングに対応する下りリンクのＨＡＲＱの受信確認情報のチャネルは、アグリゲーションレベルとは関係がないためである。次に、２つのＤＣＩフォーマットの最終的なペイロードサイズを等しくするために、再度、ＤＣＩフォーマット０の中にビットを埋め込む必要がある。第３の場合は、ＤＣＩフォーマット０の中のリソース割当種別表示ビット以外の情報ビットの全体の数量が、ＤＣＩフォーマット１Ａの中の情報ビットの全体の数量よりも多い場合である。ＤＣＩフォーマット０及び１Ａの最終的なペイロードサイズを等しくするために、ＤＣＩフォーマット１Ａの中にビットを埋め込む必要がある。これにより、ＤＣＩフォーマット１Ａの中の情報ビットの数量は、ＤＣＩフォーマット０の中のそれと等しくなる。この場合、埋め込み後の情報ビットの数量は、再度、集合の中のビット数量となるため、このビット数量を避けるため、ＤＣＩフォーマット１Ａの中に別のビットが埋め込まれる。その後、２つのＤＣＩフォーマットの最終的なペイロードサイズを等しくするため、ＤＣＩフォーマット０の中に、さらに、ビットを埋め込む必要がある。第１及び第２の場合において、パディングビットは最終的にＤＣＩフォーマット０の中に存在する。従って、リソース割当種別表示ビットの追加は、支持され得る。
【０１５５】
第２の場合及び第３の場合を説明するため、以下の実施例が使用される。
【０１５６】
例１：ＦＤＤシステムにおいて、上りリンクの帯域幅及び下りリンクの帯域幅が共に５ＭＨｚである。ＡＳＲＳトリガービットが設定されない場合、かつ下りリンクでＣＡを適用する場合、ＤＣＩフォーマット０及びＤＣＩフォーマット１Ａの中の情報ビットの数量が共に２４であり、ちょうど上記のセットに該当する。従って、ＤＣＩフォーマット１Ａの中にビットが埋め込まれ、かつ、それに対応して、ＤＣＩフォーマット０の中にリソース割当種別表示ビットが加えられてもよい。
【０１５７】
例２：ＦＤＤシステムにおいて、上りリンクの帯域幅が１５ＭＨｚであり、かつ下りリンクの帯域幅が１０ＭＨｚである。ＡＳＲＳトリガービットが設定されない場合、かつ下りリンクには単一のキャリアのみが設定される場合、ＤＣＩフォーマット０及びＤＣＩフォーマット１Ａの中の情報ビットの数量は共に２６であり、ちょうど上記のセットに該当する。従って、ＤＣＩフォーマット１Ａの中にビットが埋め込まれ、かつ、それに対応して、ＤＣＩフォーマット０の中にリソース割当種別表示ビットが加えられてもよい。
【０１５８】
例３：ＴＤＤシステムにおいて、上りリンクの帯域幅が５ＭＨｚであり、かつ下りリンクの帯域幅が３ＭＨｚである。ＡＳＲＳトリガービットが設定されない場合、かつ下りリンクでＣＡを適用する場合、ＤＣＩフォーマット０の中の情報ビットの数量は２６であり、かつＤＣＩフォーマット１Ａの中の情報ビットの数量は２５である。この場合、ＤＣＩフォーマット１Ａの中の情報ビットの数量は、ＤＣＩフォーマット０のそれよりも小さいので、当該数量を２６に変更するために、ＤＣＩフォーマット１Ａの中にビットを追加する必要があるが、パディング後のＤＣＩフォーマット１Ａの中の情報ビットの数量は再び上記セットに該当することになる。従って、当該数量を２７に変更するために、ＤＣＩフォーマット１Ａの中に再度ビットが追加される。しかし、ＤＣＩフォーマット０の中の情報ビットの数量は２６であるため、ＤＣＩフォーマット０に対してリソース割当種別表示ビットを追加してもよい。
【０１５９】
最終的に、ＤＣＩフォーマット０に対応するＰＤＣＣＨによって、基地局がスケジューリングを行うか、又はＵＥはスケジュールされる。基地局及びＵＥは、対応するリソース割当種別表示ビットを解釈して、上りリンクのデータチャネルを処理する。
【０１６０】
上記解決手段によれば、リソース割当種別表示ビットがＤＣＩフォーマット０に追加された後においても、ＤＣＩフォーマット０のペイロードサイズは変更されないので、この解決手段を実装することは容易である。
【０１６１】
ここにおける、第１及び第２といった、関係を表す用語は、要素又は動作を別の要素又は動作から区別するためにのみ用いられるものであり、これらの要素又は動作間の実際の関係又は順序を必須とする又は意図するものではない。さらに、「含む」、「構成する」という用語及びそれらの変形は、非排他的な包含を対象とすることを意図する。従って、処理、方法、物品、又は装置は、そのような要素を含む一連の要素だけでなく、明示的に指定されないその他の要素も含む。或いは、当該処理、方法、物品、又は装置に内在する要素を含んでもよい。「．．．を含む」によって限定される要素に対して、その他の限定が行われない場合、当該要素を含む処理、方法、物品、又は装置の中にその他の要素が存在することを除外するわけではない。
【０１６２】
当業者は、上記方法の実施形態における全て又は一部のステップを、関連するハードウェアに指示するプログラムにより実現できることを理解できるであろう。当該プログラムは、コンピュータ読み取り可能な記憶媒体の中に記憶することができる。当該記憶媒体は、ＲＯＭ／ＲＡＭ、磁気ディスク、及び光ディスクを含んでもよい。
【０１６３】
上記の説明は、本願発明の単なる例示的な実施形態であり、本発明の保護範囲を限定することを意図するものではない。本発明の精神及び原理の中で行われる、いかなる改変、均等な置き換え、又は改良も、本発明の保護範囲に属するべきである。
【０１６４】
[関連出願の相互参照]
本出願は、２０１１年８月８日に中国特許庁に対して出願した、「ＭＥＴＨＯＤ  ＡＮＤ  ＤＥＶＩＣＥ  ＦＯＲ  ＤＥＴＥＣＴＩＮＧ  ＡＮＤ  ＴＲＡＮＳＭＩＴＴＩＮＧ  ＩＮＦＯＴＭＡＴＩＯＮ」と題する、中国特許出願２０１１１０２２５９９４．３の優先権を主張するものであり、参照することにより、その全内容をここに援用する。
【図１】
2018098813.tif 000003
【図２】
2018098813.tif 000004
【図３】
2018098813.tif 000005
【図４】
2018098813.tif 000006
【図５】
2018098813.tif 000007
【図６】
2018098813.tif 000008
【図７】
2018098813.tif 000009